(57)【特許請求の範囲】
【請求項１】
複数の無線通信方式が混在して利用される無線バックホール回線を介して、他の無線通信装置との間で通信する無線通信装置であって、
前記他の無線通信装置との間に無線バックホール回線を設定する必要がある場合、無線周波数を含む無線資源を、前記他の無線通信装置とのデータ通信用に割り当て、割り当てた前記無線資源における送信電力の使用履歴の情報に基づいて前記他の無線通信装置とのデータ通信に係る初期の送信電力を設定し、データ通信中においては前記他の無線通信装置から通知される受信電力の情報に基づいて送信電力を設定するプロセッサと、
設定された初期またはデータ通信中の前記送信電力に基づいて、前記他の無線通信装置との間でデータ通信するアンテナと、
前記他の無線通信装置とのデータ通信に係る送信電力の使用履歴の情報を蓄積するメモリと、を備え、
前記プロセッサは、使用した前記送信電力の情報に基づいて、前記割り当てた無線周波数における前記送信電力の使用履歴の情報を更新する、
無線通信装置。
【請求項２】
請求項１に記載の無線通信装置であって、
前記プロセッサは、前記無線通信装置または前記他の無線通信装置のうちの少なくとも一方の配下に端末が存在する場合、前記他の無線通信装置との間に無線バックホール回線を設定する必要があると判定する、無線通信装置。
【請求項３】
請求項１または２に記載の無線通信装置であって、
前記メモリは、前記無線資源毎の使用実績の情報を蓄積し、
前記プロセッサは、前記無線資源毎の使用実績の情報において割り当て可能かつ最も使用実績の高い無線資源を前記他の無線通信装置とのデータ通信用に割り当てる、無線通信装置。
【請求項４】
請求項３に記載の無線通信装置であって、
前記プロセッサは、前記無線資源毎の使用実績の情報において使用実績の最も低い無線資源が割り当て不可能な場合、前記無線バックホール回線の設定が不可である旨の情報を、前記無線資源毎の使用実績の情報に登録する、無線通信装置。
【請求項５】
請求項１〜４のいずれか１項に記載の無線通信装置であって、
前記プロセッサは、前記使用履歴が多い送信電力を優先して、前記他の無線通信装置とのデータ通信に係る送信電力を設定する、無線通信装置。
【請求項６】
請求項１〜５のいずれか１項に記載の無線通信装置であって、
前記アンテナは、複数のアンテナを含み、
前記プロセッサは、前記複数のアンテナに対して、前記他の無線通信装置が採用する無線通信方式と、設定された初期の前記送信電力と、に基づいて、前記複数のアンテナの各々への供給電力を制御する、無線通信装置。
【請求項７】
請求項１〜６のいずれか１項に記載の無線通信装置であって、
前記送信電力の使用履歴の情報は、前記データ通信に割り当てられた無線周波数での送信電力の情報と、当該送信電力を用いたデータ通信の頻度の情報と、を含む、無線通信装置。
【請求項８】
請求項７に記載の無線通信装置であって、
前記送信電力の情報は、前記データ通信に使用された送信電力の所定時間あたりの平均電力の情報を含む、無線通信装置。
【請求項９】
請求項１〜８のいずれか１項に記載の無線通信装置であって、更に、
前記送信電力の使用履歴を変更するための変更情報を取得するインタフェースを備え、
前記プロセッサは、前記変更情報に基づいて、前記送信電力の使用履歴を変更する、無線通信装置。
【請求項１０】
複数の無線通信方式が混在して利用される無線バックホール回線を介して、他の無線通信装置との間で通信する無線通信装置における送信電力設定方法であって、
前記他の無線通信装置との間に無線バックホール回線を設定する必要がある場合、無線周波数を含む無線資源を、前記他の無線通信装置とのデータ通信用に割り当て、
割り当てた前記無線資源における送信電力の使用履歴の情報に基づいて前記他の無線通信装置とのデータ通信に係る初期の送信電力を設定し、
設定された初期の前記送信電力に基づいて、前記他の無線通信装置との間でデータ通信し、
データ通信中においては前記他の無線通信装置から通知される受信電力の情報に基づいて送信電力を設定し、
設定された初期またはデータ通信中の前記送信電力に基づいて、前記他の無線通信装置との間でデータ通信し、
使用した前記送信電力の情報に基づいて、前記割り当てた無線周波数における前記送信電力の使用履歴の情報を更新する、送信電力設定方法。
【発明の詳細な説明】
【技術分野】
【０００１】
本開示は、無線通信装置及び送信電力設定方法に関する。
【背景技術】
【０００２】
端末と無線基地局とが無線通信する際、無線通信に必要な送信電力が決定される必要がある。従来、送信機、受信機、及びコントローラを備える装置が知られている。送信機は、ビーコンチャネル上でビーコンを送信する。受信機は、アクセス端末からビーコンチャネルのチャネル品質を含むメッセージを受信する。コントローラは、受信されたメッセージに基づいて、送信機の送信電力を制御する（例えば、特許文献１参照）。
【０００３】
また、近年、端末と無線基地局とがネットワークに接続された無線通信システムにおいて、ヘテロジニアスネットワークの検討がなされている（例えば、非特許文献１〜３参照）。
【先行技術文献】
【特許文献】
【０００４】
【特許文献１】特表２０１３−５２０１０６号公報
【非特許文献】
【０００５】
【非特許文献１】中尾正悟、山本哲矢、岡坂昌蔵、鈴木秀俊、「５Ｇに向けたヘテロジニアスネットワークに関する取組―Ｃ−ｐｌａｎｅ／Ｕ−ｐｌａｎｅ分離型ヘテロジニアスネットワーク―」、信学技報、電子情報通信学会、２０１４年１０月、Ｐ８３−８８
【非特許文献２】三瓶政一、「第５世代セルラシステムにおける無線アクセスネットワークの方向性に関する一検討」、信学技報、電子情報通信学会、２０１４年１０月、Ｐ１５３−Ｐ１５８
【非特許文献３】「ドコモ５Ｇホワイトペーパー  ２０２０年以降の５Ｇ無線アクセスにおける要求条件と技術コンセプト」、株式会社ＮＴＴドコモ、２０１４年９月、Ｐ１−１４
【発明の概要】
【発明が解決しようとする課題】
【０００６】
特許文献１に記載された技術を、無線バックホール回線を介して接続された複数の無線基地局での通信に適用した場合、無線基地局の設置数が増大すると、通信干渉が増加する虞がある。
【０００７】
本開示は、上記事情に鑑みてなされたものであり、無線通信装置の設置数が増大しても、バックホール回線を介した無線通信での通信干渉の増加を抑制できる無線通信装置及び電力設定方法を提供する。
【課題を解決するための手段】
【０００８】
本開示の無線通信装置は、複数の無線通信方式が混在して利用される無線バックホール回線を介して、他の無線通信装置との間で通信する無線通信装置であって、前記他の無線通信装置との間に無線バックホール回線を設定する必要がある場合、無線周波数を含む無線資源を、前記他の無線通信装置とのデータ通信用に割り当て、割り当てた前記無線資源における送信電力の使用履歴の情報に基づいて前記他の無線通信装置とのデータ通信に係る初期の送信電力を設定し、データ通信中においては前記他の無線通信装置から通知される受信電力の情報に基づいて送信電力を設定するプロセッサと、設定された初期またはデータ通信中の前記送信電力に基づいて、前記他の無線通信装置との間でデータ通信するアンテナと、前記他の無線通信装置とのデータ通信に係る送信電力の使用履歴の情報を蓄積するメモリと、を備え、前記プロセッサは、使用した前記送信電力の情報に基づいて、前記割り当てた無線周波数における前記送信電力の使用履歴の情報を更新する。
【発明の効果】
【０００９】
本開示によれば、無線通信装置の設置数が増大しても、バックホール回線を介した無線通信での通信干渉の増加を抑制できる。
【図面の簡単な説明】
【００１０】
【図１】第１の実施形態における無線通信システムの構成例を示す模式図
【図２】第１の実施形態におけるマクロセル基地局及びスモールセル基地局の構成例を示すブロック図
【図３】下り回線の通信に用いた無線周波数の使用履歴の情報を保持する履歴データベースの一例を示す模式図
【図４】下り回線の通信に用いた送信電力の使用履歴の情報を保持する履歴データベースの一例を示す模式図
【図５】上り回線の通信に用いた無線周波数の使用履歴の情報を保持する履歴データベースの一例を示す模式図
【図６】上り回線の通信に用いた送信電力の使用履歴の情報を保持する履歴データベースの一例を示す模式図
【図７】基地局がワイヤレスバックホール回線を介した通信で使用する無線周波数を割り当てる際の第１動作例を示すシーケンス図
【図８】基地局がワイヤレスバックホール回線を介した通信で使用する無線周波数を割り当てる際の第２動作例を示すシーケンス図
【図９】基地局がワイヤレスバックホール回線を介した通信で使用する送信電力を決定する際の第１動作例を示すシーケンス図
【図１０】基地局がワイヤレスバックホール回線を介した通信で使用する送信電力を決定する際の第２動作例を示すシーケンス図
【図１１】無線通信システムによる送信電力の第１制御例を説明するための模式図
【図１２】無線通信システムによる送信電力の第２制御例を説明するための模式図
【図１３】無線通信システムによる送信電力の第３制御例を説明するための模式図
【図１４】無線通信システムによる送信電力の第４制御例を説明するための模式図
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１２】
（本開示の一形態を得るに至った経緯）
５Ｇ（第５世代移動通信）では、無線通信システムが、マクロセル基地局とスモールセル基地局とを含んで構成される。そして、様々な無線規格やセル半径を有する無線基地局が混在するヘテロジニアスネットワークが形成される。
【００１３】
スモールセル基地局の設置面密度が高くなると、バックホール回線の効率的な敷設が重要となることが予想される。バックホール回線は、例えば、スモールセル基地局とマクロセル基地局との間、又は、スモールセル基地局と基幹ネットワークとの間の回線を含む。バックホール回線の通信品質の安定性の観点では、バックホール回線として光回線が有効である。一方、バックホール回線の敷設の経済性や迅速性の観点では、バックホール回線として無線回線が有効である。
【００１４】
複数の無線基地局を接続するバックホール回線が無線化され、無線基地局が多数設置されると、無線基地局がデータ通信する際の送信電力を適切に管理することが重要となる。送信電力が過大である場合、ヘテロジニアスネットワークとしてのワイヤレス（無線）バックホール回線の各所において通信干渉が発生する虞がある。
【００１５】
以下、無線通信装置の設置数が増大しても、バックホール回線を介した無線通信での通信干渉の増加を抑制できる無線通信装置及び送信電力設定方法について説明する。
【００１６】
（第１の実施形態）
［構成等］
図１は、第１の実施形態における無線通信システム１０の構成例を示すブロック図である。無線通信システム１０は、複数の基地局２００を備える。複数の基地局２００は、ワイヤレスバックホール回線２０を介して接続される。複数の基地局２００は、相互にワイヤレスバックホール回線２０を介して通信する。
【００１７】
無線通信システム１０は、基地局２００が様々な無線規格を有するヘテロジニアスネットワークである。基地局２００は、端末１００との間でも通信可能である。ヘテロジニアスネットワークでは、異なる無線通信方式（例えば無線アクセス技術（ＲＡＴ：Ｒａｄｉｏ  Ａｃｃｅｓｓ  Ｔｅｃｈｎｏｌｏｇｙ）や異なるセル半径の基地局２００が混在する。ヘテロジニアスネットワークでは、例えば、複数種類の無線規格が混在することを含め、セル半径の異なる基地局２００が面的に重畳している。ＲＡＴは、例えば、無線通信規格、無線周波数、通信時の指向性形成の情報を含む。
【００１８】
このヘテロジニアスネットワークは、Ｃ／Ｕ分離型のネットワークでなくてもよいし、Ｃ／Ｕ分離型のネットワークであってもよい。つまり、無線通信システム１０では、制御データに係る通信とユーザデータに係る通信とが同じ基地局２００により実施されてもよいし、異なる基地局２００により実施されてもよい。ユーザデータは、例えば、異なる基地局２００の配下に存在する複数の端末１００が通信する場合、ワイヤレスバックホール回線２０を介して伝送される。
【００１９】
基地局２００は、マクロセル基地局２００Ａと、スモールセル基地局２００Ｂと、を含む。端末１００は、マクロセル基地局２００Ａ及びスモールセル基地局２００Ｂのいずれとの間においても、制御データを通信し、ユーザデータを通信する。制御データは、Ｃ（Ｃｏｎｔｒｏｌ）−Ｐｌａｎｅに係るデータを含む。ユーザデータは、Ｕ（Ｕｓｅｒ）−Ｐｌａｎｅに係るデータを含む。ユーザデータは、例えば、画像データ（例えば動画、静止画）、音声データ、を含み、データ量の多いデータを含み得る。
【００２０】
Ｃ−ｐｌａｎｅは、無線通信における呼接続や無線資源割り当ての制御データを通信するための通信プロトコルである。Ｕ−ｐｌａｎｅは、割り当てられた無線資源を使用して実際に通信（例えば、映像通信、音声通信、データ通信）するための通信プロトコルである。
【００２１】
マクロセル基地局２００Ａのセル半径は、例えば１ｋｍ〜数ｋｍであり、比較的大きい。マクロセル基地局２００Ａが採用可能なＲＡＴは、例えば１種類（例えばＬＴＥ）でも複数種類でもよい。セル半径は、基地局２００の最大伝送距離に相当する。
【００２２】
スモールセル基地局２００Ｂのセル半径は、例えば１０ｍ〜１００ｍであり、比較的小さい。スモールセル基地局２００Ｂが採用可能なＲＡＴは、多様であり、複数種類存在する。尚、例えば、山間部、砂漠地帯、森林地帯においてセル半径が１００ｍ以上であってもよいし、マクロセル基地局２００Ａのセル半径よりも大きいことも考えられる。つまり、ここでは、マクロセル基地局２００Ａ，スモールセル基地局２００Ｂの区別は、セル半径の大きさを意識していない。
【００２３】
図１では、「ＭＢＳ」（▲）がマクロセル基地局２００Ａを示し、「ＳＢＳ」（△）がスモールセル基地局２００Ｂを示し、「Ｔ」が端末１００を示す。マクロセル基地局２００Ａを囲む線が、そのマクロセル基地局２００Ａによる通信可能範囲のイメージを示している。スモールセル基地局２００Ｂを囲む線が、そのスモールセル基地局２００Ｂによる通信可能範囲のイメージを示している。基地局２００の通信可能範囲は、例えば基地局２００の位置とセル半径に応じて定まる。
【００２４】
基地局２００は、この基地局２００が採用可能なＲＡＴ（例えば、無線通信規格、無線周波数）から通信に用いるＲＡＴを設定し、設定されたＲＡＴに従って、無線通信する。基地局２００は、１つ以上のＲＡＴを採用可能である。
【００２５】
無線通信規格は、例えば、ＬＴＥ（Ｌｏｎｇ  Ｔｅｒｍ  Ｅｖｏｌｕｔｉｏｎ）、無線ＬＡＮ（Ｌｏｃａｌ  Ａｒｅａ  Ｎｅｔｗｏｒｋ）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）、３Ｇ（第３世代移動通信システム）、４Ｇ（第４世代移動通信システム）、５Ｇ（第５世代移動通信システム）、を含む。
【００２６】
ＲＡＴの具体的な情報として、例えば以下のＲＡＴ１〜ＲＡＴ５を含む。ＲＡＴ１は、例えば、無線周波数帯が７００ＭＨｚ〜３ＧＨｚのＬＴＥである。ＲＡＴ２は、例えば、無線周波数帯が１５ＧＨｚのＬＴＥ−Ａｄｖａｎｃｅｄである。ＲＡＴ３は、例えば、無線周波数帯が５ＧＨｚの無線ＬＡＮ通信である。ＲＡＴ４は、例えば、無線周波数帯が１５ＧＨｚ帯の無線通信方式であり、第５世代移動通信方式である。ＲＡＴ５は、例えば、無線周波数帯が６０ＧＨｚ帯の無線通信方式（例えばミリ波通信）（例えばＷｉＧｉｇ）である。
【００２７】
図２は、マクロセル基地局２００Ａ及びスモールセル基地局２００Ｂの構成例を示すブロック図である。
【００２８】
マクロセル基地局２００Ａ及びスモールセル基地局２００Ｂは、ワイヤレスバックホール回線２０を介して接続される。ワイヤレスバックホール回線２０は、上り回線２１及び下り回線２２を含む。上り回線２１は、ワイヤレスバックホール回線２０において、スモールセル基地局２００Ｂからマクロセル基地局２００Ａに向かう無線回線である。下り回線２２は、ワイヤレスバックホール回線２０において、マクロセル基地局２００Ａからスモールセル基地局２００Ｂに向かう無線回線である。無線回線は、様々な公衆回線、携帯電話回線、広域無線回線等を広く含む。
【００２９】
マクロセル基地局２００Ａは、マクロセル基地局２００Ａの周囲に存在する１台又は複数台のスモールセル基地局２００Ｂを通信相手とする。スモールセル基地局２００Ｂは、１台のマクロセル基地局２００Ａを通信相手とする。マクロセル基地局２００Ａ及びスモールセル基地局２００Ｂは固定的に設置されるため、マクロセル基地局２００Ａ及びスモールセル基地局２００Ｂの通信相手は予め定められる。
【００３０】
マクロセル基地局２００Ａは、プロセッサ２５０Ａ、メモリ２６０Ａ、第１インタフェース２０１、第１送信アンテナ２０４、及び第１受信アンテナ２０５を備える。
【００３１】
プロセッサ２５０Ａは、メモリ２６０Ａと協働して、各種処理や制御を行う。具体的には、プロセッサ２５０Ａは、メモリ２６０Ａに保持されたプログラムを実行することで、以下の各部の機能を実現する。この各部は、第１パケット生成部２０２、第１無線送信部２０３、第１無線受信部２０６、第１パケット復号部２０７、及び第１無線資源管理部２０８を含む。
【００３２】
メモリ２６０Ａは、例えば、各種データ、情報、プログラムを記憶する。また、メモリ２６０Ａは、履歴データベースＴ１１，Ｔ１２を記憶する。メモリ２６０Ａは、プロセッサ２５０Ａに内蔵されてもよい。メモリ２６０Ａは、一次記憶装置とともに、二次記憶装置を含んでもよい。一時記憶装置は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）を含む。二次記憶装置は、例えば、ＨＤＤ（Ｈａｒｄ  Ｄｉｓｋ  Ｍｅｍｏｒｙ）、ＳＳＤ（Ｓｏｌｉｄ  Ｓｔａｔｅ  Ｄｒｉｖｅ）を含む。メモリ２６０Ａは、例えば、各スモールセル基地局２００Ｂの位置情報（例えば経度、緯度）を保持する。
【００３３】
図３は、履歴データベースＴ１１の一例を示す模式図である。履歴データベースＴ１１は、過去に無線接続されたスモールセル基地局２００Ｂ毎に、マクロセル基地局２００Ａとの下り回線２２の通信に用いた無線周波数の使用履歴の情報を保持する。また、履歴データベースＴ１１は、マクロセル基地局２００Ａが採用可能なＲＡＴ毎に分けて設けられてもよい。
【００３４】
履歴データベースＴ１１は、例えば、スモールセル基地局２００Ｂに関する情報と、過去の一定期間における無線周波数の使用履歴の情報と、を保持する。このスモールセル基地局２００Ｂに関する情報は、スモールセル基地局２００Ｂの識別情報（例えばＳＢＳ＃１）を含む。この無線周波数の使用履歴の情報は、下り回線２２において、スモールセル基地局２００Ｂとの通信に用いられた無線周波数（例えばｆ１）の情報、及びこの無線周波数を用いて通信された通信量（通信データ量）（例えば７８４（ＭＢ））の情報を含む。
【００３５】
図４は、履歴データベースＴ１２の一例を示す模式図である。履歴データベースＴ１２は、過去に無線接続されたスモールセル基地局２００Ｂ毎に、スモールセル基地局２００Ｂとの通信に用いた送信電力の使用履歴の情報を保持する。履歴データベースＴ１２は、例えば、過去の一定期間における送信電力の使用履歴の情報を保持する。また、履歴データベースＴ１２は、マクロセル基地局２００Ａが採用可能なＲＡＴ毎に分けて設けられてもよい。
【００３６】
履歴データベースＴ１２は、例えば、スモールセル基地局２００Ｂに関する情報と、過去の一定期間における送信電力の使用履歴の情報と、を保持する。このスモールセル基地局２００Ｂに関する情報は、スモールセル基地局２００Ｂの識別情報（例えばＳＢＳ＃１）を含む。この送信電力の使用履歴の情報は、下り回線２２において、スモールセル基地局２００Ｂとの通信に用いられた無線周波数（例えばｆ１）での送信電力（例えば−６ｄＢｍ〜−３ｄＢｍ）の情報、及びこの送信電力でスモールセル基地局２００Ｂと通信した頻度（例えば通信回数）（例えば「２」）の情報を含む。
【００３７】
ここで、使用履歴として保持される送信電力は、通信中の送信電力の平均値（例えば３秒間毎の時間平均の値）でもよい。また、使用履歴として保持される送信電力は、例えば、第１送信アンテナ２０４に含まれる後述の各アンテナへの供給電力の単純合計値でもよい。
【００３８】
送信電力の平均値を送信電力の使用履歴の情報とすることで、ワイヤレスバックホール回線２０の回線状況が時々刻々と変化した場合でも、履歴データベースＴ１２は、変化の影響が平滑化された値を保持できる。
【００３９】
尚、送信電力の平均値は、例えば、無線周波数、伝送距離、周囲環境、アンテナ高、天候、無線伝送方式に応じて、おおよそ決定される。尚、周囲環境とは、基地局２００の周囲にビルや山が存在するか否か等の情報を含む。天候は、降雨減衰のために考慮される。高減衰は、雨粒の直径が電波の波長と重なり、電波が拡散されることで発生する。電波の周波数が高い程、降雨減衰は顕著となる。特に１０ＧＨｚ以上の電波を用いる場合に、降雨減衰により大きな影響を受ける。
【００４０】
第１インタフェース２０１は、マクロセル基地局２００Ａと上位装置とを接続するための通信インタフェースである。この上位装置は、例えば、ＲＡＴがＬＴＥの場合にはＳＧＷ（Ｓｅｒｖｉｎｇ  Ｇａｔｅｗａｙ））、ＲＡＴがＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の場合にはＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）を含む。
【００４１】
第１パケット生成部２０２は、スモールセル基地局２００Ｂへ送信されるパケット（第１の送信パケット）を生成する。第１の送信パケットは、下り回線２２のデータを含む。下り回線２２のデータ（制御データやユーザデータ）は、例えば、メモリ２６０、記憶装置や表示装置等の外部装置（不図示）、各種ソフトウェアの処理部（不図示）から得られる。
【００４２】
第１パケット生成部２０２は、第１の送信パケットの通信に係る下り回線２２用の無線資源の使用履歴の情報を、第１無線資源管理部２０８へ送る。この無線資源の使用履歴の情報は、例えば、スモールセル基地局２００Ｂとの通信に使用された無線周波数の情報、この無線周波数を用いて通信された通信量の情報を含む。
【００４３】
本実施形態では、ワイヤレスバックホール回線２０において棲み分ける無線資源は、例えば、通信に使用される無線周波数、無線周波数の一部（周波数軸の一部、時間軸の一部、又はその組み合わせ）を含む。周波数軸の一部とは、例えばサブキャリア周波数や複数のサブキャリア周波数の束を指す。時間軸の一部とは、例えばタイムスロットや複数のタイムスロットの束を指す。
【００４４】
第１無線送信部２０３は、履歴データベースＴ１２を参照し、過去のスモールセル基地局２００Ｂとの通信に用いられた送信電力の使用履歴に基づいて、スモールセル基地局２００Ｂとの通信に用いる送信電力の初期値を導出し、送信電力の初期値を設定する。
【００４５】
例えば、第１無線送信部２０３は、使用履歴の多い（使用実績の高い）送信電力を、下り回線２２の通信に用いられる送信電力の初期値として決定する。使用履歴の多い送信電力は、例えば、履歴データベースＴ１２において蓄積された頻度が最多である送信電力でもよいし、最多でなくても、頻度が所定頻度以上である送信電力でもよい。
【００４６】
第１無線送信部２０３は、第１の送信パケットの通信に使用された送信電力に基づいて、履歴データベースＴ１２に保持された送信電力の使用履歴の情報を更新する。この送信電力の使用履歴の情報は、例えば、スモールセル基地局２００Ｂとの下り回線２２の通信に使用された送信電力の情報、この送信電力を用いて通信された頻度の情報を含む。
【００４７】
例えば、第１無線送信部２０３は、第１の送信パケットの送信に係る送信電力（今回の送信電力）と一致する履歴データベースＴ１２の送信電力に対して、例えば頻度を「１」加算し、履歴データベースＴ１２に保持された情報を更新する。
【００４８】
第１無線送信部２０３は、下り回線２２及び第１送信アンテナ２０４を介して、スモールセル基地局２００Ｂへ、第１の送信パケットを送信する。この際、第１無線送信部２０３は、第１無線資源管理部２０８により割り当てられた無線資源を用いて、第１無線送信部２０３により設定された送信電力で、送信する。
【００４９】
第１無線送信部２０３は、下り回線２２での通信に割り当てられた無線資源の情報（無線資源の割当情報）を、制御信号に含めて、スモールセル基地局２００Ｂへ送信する。この下り回線２２用の無線資源の割当情報は、スモールセル基地局２００Ｂでは受信時に用いられる。
【００５０】
第１無線受信部２０６は、第１無線資源管理部２０８により割り当てられた上り回線２１用の無線資源を用いて、スモールセル基地局２００Ｂからのパケット（第２の受信パケット）を受信する。
【００５１】
第１パケット復号部２０７は、第２の受信パケットを復号して、第２の復号データを得る。第２の復号データは、上り回線２１のデータを含む。上り回線２１のデータ（制御データやユーザデータ）は、例えば、メモリ２６０Ａ、記憶装置や表示装置等の外部装置（不図示）、各種ソフトウェアの処理部（不図示）に渡される。
【００５２】
また、下り回線２２のデータは、下り回線２２用の無線資源の割当情報を含む。第１パケット復号部２０７は、下り回線２２用の無線資源の割当情報を第１無線資源管理部２０８へ送る。
【００５３】
第１パケット復号部２０７は、第２の受信パケットの通信に係る無線資源の使用履歴の情報を、第１無線資源管理部２０８へ送る。
【００５４】
第１無線資源管理部２０８は、履歴データベースＴ１１を参照し、過去のスモールセル基地局２００Ｂとの通信に用いられた無線周波数の使用履歴に基づいて、スモールセル基地局２００Ｂとの通信に用いる下り回線２２用の無線周波数の割当候補を導出する。
【００５５】
例えば、第１無線資源管理部２０８は、使用履歴の多い（使用実績の高い）無線周波数を、下り回線２２での通信に割り当てられる無線周波数の割当候補として決定する。使用履歴の多い無線周波数は、例えば、履歴データベースＴ１１において蓄積された通信量が最多である無線周波数でもよいし、最多でなくても、通信データ量が所定量以上である無線周波数でもよい。尚、無線周波数の候補として、優先順位の高い候補から低い候補まで複数含んでもよい。
【００５６】
第１無線資源管理部２０８は、無線周波数の割当候補におけるＲＢ（Ｒｅｓｏｕｒｃｅ  Ｂｌｏｃｋ）の割当状況を検索し、この無線周波数における未割当のＲＢの有無を判定する。第１無線資源管理部２０８は、未割当のＲＢが存在する場合、この無線周波数を割当可能と判定する。第１無線資源管理部２０８は、スモールセル基地局２００Ｂとの下り回線２２の通信に用いる無線資源として、割当可能とされた無線資源（無線周波数及び未割当のＲＢ）を割り当てる。
【００５７】
第１無線資源管理部２０８は、第１パケット復号部２０７から上り回線２１用の無線資源の割当情報を取得し、上り回線２１用の無線資源の割当情報を例えばメモリ２６０Ａに格納して管理する。第１無線資源管理部２０８は、上り回線２１用の無線資源の割当情報を基に、上り回線２１用の無線資源を割り当てる。
【００５８】
また、第１無線資源管理部２０８は、ＲＢの割り当てとともに、ＡＭＣ（Ａｄａｐｔｉｖｅ  Ｍｏｄｕｌａｔｉｏｎ  ａｎｄ  Ｃｏｄｉｎｇ）を指定してもよい。
【００５９】
尚、第１無線資源管理部２０８は、割当候補の無線周波数を割当不可能な場合、無線周波数を変更し、他の割当候補の無線周波数から新たに無線周波数を選定してもよい。
【００６０】
また、第１無線資源管理部２０８は、第１パケット生成部２０２からの無線資源の使用履歴の情報を取得する。第１無線資源管理部２０８は、例えば、取得された使用履歴の情報に含まれる無線周波数と一致する履歴データベースＴ１１の無線周波数に対して、使用履歴の情報に含まれる通信量を加算し、履歴データベースＴ１１に保持された情報を更新する。
【００６１】
第１無線資源管理部２０８は、割り当てられた下り回線２２用の無線資源の情報、つまりスモールセル基地局２００Ｂとの下り回線２２の通信に用いる無線周波数及びＲＢの情報を、第１無線送信部２０３へ送る。
【００６２】
第１無線資源管理部２０８は、割り当てられた上り回線２１用の無線資源の情報、つまりスモールセル基地局２００Ｂとの上り回線２１の通信に用いる無線周波数及びＲＢの情報を、第１無線受信部２０６へ送る。
【００６３】
スモールセル基地局２００Ｂは、プロセッサ２５０Ｂ、メモリ２６０Ｂ、第２インタフェース２２１、第２送信アンテナ２２４、及び第２受信アンテナ２２５を備える。
【００６４】
プロセッサ２５０Ｂは、メモリ２６０Ｂと協働して、各種処理や制御を行う。具体的には、プロセッサ２５０Ｂは、メモリ２６０Ｂに保持されたプログラムを実行することで、以下の各部の機能を実現する。この各部は、第２パケット生成部２２２、第２無線送信部２２３、第２無線受信部２２６、第２パケット復号部２２７、及び第２無線資源管理部２２８を含む。
【００６５】
メモリ２６０Ｂは、例えば、各種データ、情報、プログラムを記憶する。また、メモリ２６０Ｂは、履歴データベースＴ２１，Ｔ２２を記憶する。メモリ２６０Ｂは、プロセッサ２５０Ｂに内蔵されてもよい。メモリ２６０Ｂは、一次記憶装置とともに、二次記憶装置を含んでもよい。メモリ２６０Ｂは、例えば、マクロセル基地局２００Ａの位置情報（例えば経度、緯度）を保持する。
【００６６】
図５は、履歴データベースＴ２１の一例を示す模式図である。履歴データベースＴ２１は、マクロセル基地局２００Ａとの上り回線２１の通信に用いた無線周波数の使用履歴の情報を保持する。また、履歴データベースＴ１１は、スモールセル基地局２００Ｂが採用可能なＲＡＴ毎に分けて設けられてもよい。
【００６７】
履歴データベースＴ２１は、例えば、過去の一定期間における無線周波数の使用履歴の情報を保持する。この無線周波数の使用履歴の情報は、上り回線２１において、マクロセル基地局２００Ａとの通信に用いられた無線周波数（例えばｆ１）の情報、及びこの無線周波数を用いて通信された通信量（通信データ量）（例えば３７５（ＭＢ））の情報を含む。
【００６８】
図６は、履歴データベースＴ２２の一例を示す模式図である。履歴データベースＴ２２は、マクロセル基地局２００Ａとの通信に用いた送信電力の使用履歴の情報を保持する。履歴データベースＴ２２は、例えば、過去の一定期間における送信電力の使用履歴の情報を保持する。また、履歴データベースＴ２２は、スモールセル基地局２００Ｂが採用可能なＲＡＴ毎に分けて設けられてもよい。
【００６９】
この送信電力の使用履歴の情報は、接続されたマクロセル基地局２００Ａとの通信に用いられた無線周波数（ｆ１）での送信電力（例えば−６ｄＢｍ〜−３ｄＢｍ）の情報、及びこの送信電力でマクロセル基地局２００Ａと通信した頻度（例えば通信回数）（例えば「１０３」）の情報を含む。
【００７０】
ここで、使用履歴として保持される送信電力は、通信中の送信電力の平均値（例えば３秒間毎の時間平均の値）でもよい。また、使用履歴として保持される送信電力は、例えば、第２送信アンテナ２２４に含まれる後述の各アンテナに入力される電力の単純合計値でもよい。
【００７１】
送信電力の平均値を送信電力の使用履歴の情報とすることで、ワイヤレスバックホール回線２０の回線状況が時々刻々と変化した場合でも、履歴データベースＴ２２は、変化の影響が平滑化された値を保持できる。
【００７２】
尚、スモールセル基地局２００Ｂが接続されるマクロセル基地局２００Ａは、スモールセル基地局２００Ｂに対して１つ定められているので、履歴データベースＴ２１，Ｔ２２にマクロセル基地局２００Ａの識別情報が保持されなくてよい。
【００７３】
第２インタフェース２２１は、スモールセル基地局２００Ｂと配下の端末１００とを接続するための通信インタフェースである。第２インタフェース２２１は、ＲＡＮ（Ｒａｄｉｏ  Ａｃｃｅｓｓ  Ｎｅｔｗｏｒｋ）を介して通信するためのインタフェースである。
【００７４】
第２パケット生成部２２２は、マクロセル基地局２００Ａへ送信されるパケット（第２の送信パケット）を生成する。第２の送信パケットは、上り回線２１のデータを含む。上り回線２１のデータ（制御データやユーザデータ）は、例えば、メモリ２６０Ｂ、記憶装置等の外部装置（不図示）、各種ソフトウェアの処理部（不図示）から得られる。
【００７５】
第２パケット生成部２２２は、第２の送信パケットの通信に係る上り回線２１用の無線資源の使用履歴の情報を、第２無線資源管理部２２８へ送る。この無線資源の使用履歴の情報は、例えば、マクロセル基地局２００Ａとの通信に使用された無線周波数の情報、この無線周波数を用いて通信された通信量の情報を含む。
【００７６】
第２無線送信部２２３は、履歴データベースＴ２２を参照し、過去のマクロセル基地局２００Ａとの通信に用いられた送信電力の使用履歴に基づいて、マクロセル基地局２００Ａとの通信に用いる送信電力の初期値を導出し、送信電力の初期値を設定する。
【００７７】
例えば、第２無線送信部２２３は、使用履歴の多い（使用実績の高い）送信電力を、上り回線２１の通信に用いられる送信電力の初期値として決定する。使用履歴の多い送信電力は、例えば、履歴データベースＴ２２において蓄積された頻度が最多である送信電力でもよいし、最多でなくても、頻度が所定頻度以上である送信電力でもよい。
【００７８】
第２無線送信部２２３は、第２の送信パケットの通信に使用された送信電力に基づいて、履歴データベースＴ２２に保持された送信電力の使用履歴の情報を更新する。この送信電力の使用履歴の情報は、例えば、マクロセル基地局２００Ａとの上り回線２１の通信に使用された送信電力の情報、この送信電力を用いて通信された頻度の情報を含む。
【００７９】
例えば、第２無線送信部２２３は、第２の送信パケットの送信に係る送信電力（今回の送信電力）と一致する履歴データベースＴ２２の送信電力に対して、例えば頻度を「１」加算し、履歴データベースＴ２２に保持された情報を更新する。
【００８０】
第２無線送信部２２３は、上り回線２１及び第２送信アンテナ２２４を介して、マクロセル基地局２００Ａへ、第２の送信パケットを送信する。この際、第２無線送信部２２３は、第２無線資源管理部２２８により割り当てられた無線資源を用いて、第２無線送信部２２３により設定された送信電力で、送信する。
【００８１】
第２無線送信部２２３は、上り回線２１での通信に割り当てられた無線資源の情報（無線資源の割当情報）を、制御信号に含めて、マクロセル基地局２００Ａへ送信する。この上り回線２１用の無線資源の割当情報は、マクロセル基地局２００Ａでは受信時に用いられる。
【００８２】
第２無線受信部２２６は、第２無線資源管理部２２８により割り当てられた下り回線２２用の無線資源を用いて、マクロセル基地局２００Ａからのパケット（第１の受信パケット）を受信する。
【００８３】
第２パケット復号部２２７は、第１の受信パケットを復号して、第１の復号データを得る。第１の復号データは、下り回線２２のデータを含む。下り回線２２のデータ（制御データやユーザデータ）は、例えば、メモリ２６０Ｂ、記憶装置や表示装置等の外部装置（不図示）、各種ソフトウェアの処理部（不図示）に渡される。
【００８４】
また、上り回線２１のデータは、上り回線２１用の無線資源の割当情報を含む。第２パケット復号部２２７は、上り回線２１用の無線資源の割当情報を第２無線資源管理部２２８へ送信する。
【００８５】
第２パケット復号部２２７は、第１の受信パケットの通信に係る無線資源の使用履歴の情報を、第２無線資源管理部２２８へ送る。
【００８６】
第２無線資源管理部２２８は、履歴データベースＴ２１を参照し、過去のマクロセル基地局２００Ａとの通信に用いられた無線周波数の使用履歴に基づいて、マクロセル基地局２００Ａとの通信に用いる上り回線２１用の無線周波数の割当候補を導出する。
【００８７】
例えば、第２無線資源管理部２２８は、使用履歴の多い（使用実績の高い）無線周波数を、上り回線２１での通信に割り当てられる無線周波数の割当候補として決定する。使用履歴の多い無線周波数は、例えば、履歴データベースＴ２１において蓄積された通信量が最多である無線周波数でもよいし、最多でなくても、通信データ量が所定量以上である無線周波数でもよい。尚、無線周波数の候補として、優先順位の高い候補から低い候補まで複数含んでもよい。
【００８８】
第２無線資源管理部２２８は、無線周波数の割当候補におけるＲＢの割当状況を検索し、この無線周波数における未割当のＲＢの有無を判定する。第２無線資源管理部２２８は、未割当のＲＢが存在する場合、この無線周波数を割当可能と判定する。第２無線資源管理部２２８は、マクロセル基地局２００Ａとの上り回線２１の通信に用いる無線資源として、割当可能とされた無線資源（無線周波数及び未割当のＲＢ）を割り当てる。
【００８９】
第２無線資源管理部２２８は、第２パケット復号部２２７から下り回線２２用の無線資源の割当情報を取得し、下り回線２２用の無線資源の割当情報を例えばメモリ２６０Ｂに格納して管理する。第１無線資源管理部２０８は、下り回線２２用の無線資源の割当情報を基に、下り回線２２用の無線資源を割り当てる。
【００９０】
また、第２無線資源管理部２２８は、ＲＢの割り当てとともに、ＡＭＣを指定してもよい。
【００９１】
尚、第２無線資源管理部２２８は、割当候補の無線周波数を割当不可能な場合、無線周波数を変更し、他の割当候補の無線周波数から新たに無線周波数を選定してもよい。
【００９２】
また、第２無線資源管理部２２８は、第２パケット生成部２２２からの無線資源の使用履歴の情報を取得する。第２無線資源管理部２２８は、例えば、取得された使用履歴の情報に含まれる無線周波数と一致する履歴データベースＴ２１の無線周波数に対して、使用履歴の情報に含まれる通信量を加算し、履歴データベースＴ２１に保持された情報を更新する。
【００９３】
第２無線資源管理部２２８は、割り当てられた上り回線２１用の無線資源の情報、つまりマクロセル基地局２００Ａとの上り回線２１の通信に用いる無線周波数及びＲＢの情報を、第２無線送信部２２３へ送る。
【００９４】
第２無線資源管理部２２８は、割り当てられた下り回線２２用の無線資源の情報、つまりマクロセル基地局２００Ａとの下り回線２２の通信に用いる無線周波数及びＲＢの情報を、第２無線受信部２２６へ送る。
【００９５】
［動作等］
次に、無線通信システム１０の動作例について説明する。
【００９６】
図７は、基地局２００がワイヤレスバックホール回線２０において使用する無線周波数を割り当てる際の第１動作例を示すシーケンス図である。図７では、マクロセル基地局２００Ａが下り回線２２において使用する無線周波数を割り当てる際の動作例を示す。
【００９７】
まず、第１無線資源管理部２０８は、ワイヤレスバックホール回線２０での各種設定の必要があるか否かを判定する（Ｓ１１）。この各種設定は、例えば、ワイヤレスバックホール回線２０（下り回線２２）の通信で使用する無線資源の設定、第１送信アンテナ２０４によりワイヤレスバックホール回線２０を介して通信する際の送信電力の初期値の設定、を含む。第１無線資源管理部２０８は、例えば、マクロセル基地局２００Ａ又はスモールセル基地局２００Ｂの配下に端末１００が存在する場合に、上記各種設定が必要と判定する。
【００９８】
上記各種設定が必要である場合、第１無線資源管理部２０８は、履歴データベースＴ１１を参照し（Ｓ１２）、スモールセル基地局２００Ｂにおいて通信量が最多である等の使用頻度の高い（使用履歴の多い）無線周波数を、無線周波数の割当候補として選択する（Ｓ１３）。
【００９９】
第１無線資源管理部２０８は、例えば上述した方法で、無線周波数の割当候補におけるＲＢを割当可能か否かを判定する（Ｓ１４）。
【０１００】
Ｓ１４において、選択された無線周波数のＲＢが割当不可能である場合、第１無線資源管理部２０８は、割当候補とされた無線周波数の優先順位が最下位であるか否かを判定する（Ｓ１５）。
【０１０１】
尚、例えば、Ｓ１５の処理が１回目である場合、例えば割当候補の無線周波数の優先順位は最上位であり、Ｓ１５の処理回数が増える度に、割当候補の無線周波数の優先順位が低くされる。
【０１０２】
Ｓ１５において、割当候補とされた無線周波数の優先順位が最下位でない場合、第１無線資源管理部２０８は、この無線周波数よりも１段階優先順位が低い無線周波数、つまり次の優先順位の無線周波数を、割当候補として選択する（Ｓ１６）。そして、マクロセル基地局２００Ａは、Ｓ１４の処理に進む。
【０１０３】
第１無線資源管理部２０８は、Ｓ１５において、割当候補とされた無線周波数の優先順位が最下位である場合、ワイヤレスバックホール回線２０の設定が不可である旨の不可履歴情報を、履歴データベースＴ１１に登録する（Ｓ１７）。不可履歴情報は、例えば、割当不可であったスモールセル基地局２００Ｂ、割当不可であった無線周波数、割当不可であった時刻（例えば日時）の情報を含む。そして、マクロセル基地局２００Ａは、図７の処理を終了する。
【０１０４】
Ｓ１４において、無線周波数のＲＢを割当可能である場合、第１無線資源管理部２０８は、当該割当可能な無線周波数のＲＢを割り当てる。そして、第１無線資源管理部２０８は、送信電力を設定する（Ｓ１８）。この送信電力は、第１送信アンテナ２０４に供給される電力に相当する。送信電力の設定は、例えば、図９に示すＳ３２〜Ｓ３５のように、履歴データベースＴ２１を用いて行われてもよいし、公知の方法により行われてもよい。
【０１０５】
第１無線送信部２０３は、割り当てられた無線周波数のＲＢを用いて、設定された送信電力で、スモールセル基地局２００Ｂとの間でデータを通信する（Ｓ１９）。尚、割り当てられた無線周波数の情報は、下り回線２２用の無線資源の割当情報に含めて、スモールセル基地局２００Ｂへ通知される。
【０１０６】
データが通信されると、第１パケット生成部２０２は、送信された第１の送信パケットの通信量の情報を第１無線資源管理部２０８へ送る。第１無線資源管理部２０８は、履歴データベースＴ１１において、通信されたスモールセル基地局２００Ｂで使用された無線周波数での通信履歴（通信量）を更新する（Ｓ２０）。そして、マクロセル基地局２００Ａは、図７の処理を終了する。
【０１０７】
このように、マクロセル基地局２００Ａは、データの通信に係る過去の無線周波数の使用履歴の情報を利用して、通信干渉の可能性が低い無線周波数を割り当てできる。また、割当候補の無線周波数のＲＢを割当不可である場合、他の無線周波数のＲＢを割り当てることで、マクロセル基地局２００Ａがデータを通信するための無線周波数を発見できる可能性が高くなる。つまり、マクロセル基地局２００Ａは、無線資源の割当効率や利用効率を向上できる。よって、マクロセル基地局２００Ａは、ワイヤレスバックホール回線２０を介してスモールセル基地局２００Ｂとの通信に使用される無線周波数を自律分散的に棲み分けできる。
【０１０８】
図８は、基地局２００がワイヤレスバックホール回線２０において使用する無線周波数を割り当てる際の第２動作例を示すシーケンス図である。図８では、スモールセル基地局２００Ｂが上り回線２１において使用する無線周波数を割り当てる際の動作例を示す。尚、図８において、図７と同様の処理については、同一の符号を付し、その説明を省略又は簡略化する。
【０１０９】
まず、第２無線資源管理部２２８は、ワイヤレスバックホール回線２０での各種設定の必要があるか否かを判定する（Ｓ２１）。この各種設定は、例えば、ワイヤレスバックホール回線２０（上り回線２１）の通信で使用する無線資源の設定、第２送信アンテナ２２４によりワイヤレスバックホール回線２０を介して通信する際の送信電力の初期値の設定、を含む。第２無線資源管理部２２８は、例えば、マクロセル基地局２００Ａ又はスモールセル基地局２００Ｂの配下に端末１００が存在する場合に、上記各種設定が必要と判定する。
【０１１０】
上記各種設定が必要である場合、第２無線資源管理部２２８は、履歴データベースＴ２１を参照し（Ｓ２２）、通信量が最多である等の使用頻度の高い（使用履歴の多い）無線周波数を、無線周波数の割当候補として選択する（Ｓ２３）。
【０１１１】
第２無線資源管理部２２８は、例えば上述した方法で、無線周波数の割当候補におけるＲＢを割当可能か否かを判定する（Ｓ２４）。
【０１１２】
Ｓ２４において、選択された無線周波数のＲＢが割当不可能である場合、第２無線資源管理部２２８は、割当候補とされた無線周波数の優先順位が最下位であるか否かを判定する（Ｓ２５）。
【０１１３】
尚、例えば、Ｓ２５の処理が１回目である場合、例えば割当候補の無線周波数の優先順位は最上位であり、Ｓ２５の処理回数が増える度に、割当候補の無線周波数の優先順位が低くされる。
【０１１４】
Ｓ２５において、割当候補とされた無線周波数の優先順位が最下位でない場合、第２無線資源管理部２２８は、この無線周波数よりも１段階優先順位が低い無線周波数、つまり次の優先順位の無線周波数を、割当候補として選択する（Ｓ２６）。そして、スモールセル基地局２００Ｂは、Ｓ２４の処理に進む。
【０１１５】
第２無線資源管理部２２８は、Ｓ２５において、割当候補とされた無線周波数の優先順位が最下位である場合、ワイヤレスバックホール回線２０の設定が不可である旨の不可履歴情報を、履歴データベースＴ２１に登録する（Ｓ２７）。不可履歴情報は、例えば、割当不可であった無線周波数、割当不可であった時刻（例えば日時）の情報を含む。そして、スモールセル基地局２００Ｂは、図８の処理を終了する。
【０１１６】
Ｓ２４において、無線周波数のＲＢを割当可能である場合、第２無線資源管理部２２８は、当該割当可能な無線周波数のＲＢを割り当てる。そして、第２無線資源管理部２２８は、送信電力を設定する（Ｓ２８）。この送信電力は、第２送信アンテナ２２４に供給される電力に相当する。送信電力の設定は、例えば、図１０に示すＳ４２〜Ｓ４５のように、履歴データベースＴ２２を用いて行われてもよいし、公知の方法により行われてもよい。
【０１１７】
第２無線送信部２２３は、割り当てられた無線周波数のＲＢを用いて、設定された送信電力で、マクロセル基地局２００Ａとの間でデータを通信する（Ｓ２９）。尚、割り当てられた無線周波数及びＲＢの情報は、上り回線２１用の無線資源の割当情報に含めて、マクロセル基地局２００Ａへ通知される。
【０１１８】
データが通信されると、第２パケット生成部２２２は、送信された第２の送信パケットの通信量の情報を第２無線資源管理部２２８へ送る。第２無線資源管理部２２８は、履歴データベースＴ２１において、使用された無線周波数での通信履歴（通信量）を更新する（Ｓ３０）。そして、スモールセル基地局２００Ｂは、図８の処理を終了する。
【０１１９】
このように、スモールセル基地局２００Ｂは、データの通信に係る過去の無線周波数の使用履歴の情報を利用して、通信干渉の可能性が低い無線周波数を割り当てできる。また、割当候補の無線周波数のＲＢを割当不可である場合、他の無線周波数のＲＢを割り当てることで、スモールセル基地局２００Ｂがデータを通信するための無線周波数を発見できる可能性が高くなる。つまり、スモールセル基地局２００Ｂは、無線資源の割当効率や利用効率を向上できる。よって、スモールセル基地局２００Ｂは、ワイヤレスバックホール回線２０を介してマクロセル基地局２００Ａとの通信に使用される無線周波数を自律分散的に棲み分けできる。
【０１２０】
図９は、基地局２００がワイヤレスバックホール回線２０を介した通信で使用する送信電力を設定する際の第１動作例を示すシーケンス図である。図９では、マクロセル基地局２００Ａが送信電力を設定する際の動作例を示す。尚、図９において、図７，図８と同様の処理については、同一の符号を付し、その説明を省略又は簡略化する。
【０１２１】
まず、第１無線資源管理部２０８は、ワイヤレスバックホール回線２０での各種設定の必要があるか否かを判定する（Ｓ１１）。
【０１２２】
各種設定が必要である場合、第１無線資源管理部２０８は、下り回線２２用の無線周波数を含む無線資源を割り当てる（Ｓ３１）。この無線資源の割り当てでは、図７に示したＳ１２〜Ｓ１７のように、履歴データベースＴ１１を用いて行われてもよいし、公知の方法により行われてもよい。
【０１２３】
第１無線送信部２０３は、履歴データベースＴ１２を参照し（Ｓ３２）、頻度が最多である等の使用頻度の高い（使用履歴の多い）送信電力を、第１送信アンテナ２０４を用いた通信の送信電力の初期値として設定する（Ｓ３３）。この頻度は、スモールセル基地局２００Ｂとの通信で使用された無線周波数において使用された送信電力の頻度である。
【０１２４】
尚、第１無線送信部２０３は、履歴データベースＴ１２において、割り当てられた無線周波数において最頻の送信電力よりも３ｄＢ大きい送信電力又は３ｄＢ小さい送信電力を、送信電力の初期値として設定してもよい。
【０１２５】
第１無線送信部２０３は、第１送信アンテナ２０４を介して、設定された送信電力の初期値に基づいて、スモールセル基地局２００Ｂへ下り回線２２のデータを送信する（Ｓ３４）。
【０１２６】
Ｓ３４では、第１無線送信部２０３は、データ通信前には、上記の送信電力の初期値を第１送信アンテナ２０４へ供給する。また、第１無線送信部２０３は、データ通信中には、データ通信中の送信電力制御により決定された送信電力を第１送信アンテナ２０４へ供給する。
【０１２７】
データ通信中の送信電力制御では、第１無線送信部２０３は、例えば、受信点（ここでは第２受信アンテナ２２５）における受信電力が所定値以上であれば、第１送信アンテナ２０４による送信電力を規定値（例えば１ｄＢ）低減させる。一方、受信点（ここでは第２受信アンテナ２２５）における受信電力が所定値以下であれば、第１送信アンテナ２０４による送信電力を規定値（例えば１ｄＢ）増加させる。受信電力の情報は、例えば、逆回線（ここでは上り回線２１）を介して、受信側（ここではスモールセル基地局２００Ｂ）から送信側（ここではマクロセル基地局２００Ａ）へ通知される。
【０１２８】
Ｓ３４においてデータが通信されると、第１無線送信部２０３は、履歴データベースＴ１２にアクセスし、使用された送信電力の情報に基づいて、スモールセル基地局２００Ｂとの通信に使用された無線周波数での送信電力の頻度を更新する（Ｓ３５）。そして、マクロセル基地局２００Ａは、図９の処理を終了する。
【０１２９】
このように、マクロセル基地局２００Ａは、データの通信に使用された過去の無線周波数での送信電力の使用履歴の情報を利用することで、通信品質の劣化かつ通信干渉の可能性が低い送信電力を設定できる。つまり、マクロセル基地局２００Ａは、送信電力の初期値が過小に設定されることで、送信されたデータがスモールセル基地局２００Ｂへ到達せず、データ通信の品質が低下することを抑制できる。また、マクロセル基地局２００Ａは、送信電力の初期値が過大に設定されることで、スモールセル基地局２００Ｂの周辺の基地局２００等で通信干渉が発生することを抑制できる。よって、マクロセル基地局２００Ａは、ワイヤレスバックホール回線２０を介してスモールセル基地局２００Ｂとの通信に使用される送信電力を自律分散的に棲み分けできる。
【０１３０】
図１０は、基地局２００がワイヤレスバックホール回線２０を介した通信で使用する送信電力を設定する際の第２動作例を示すシーケンス図である。図１０では、スモールセル基地局２００Ｂが送信電力を決定する際の動作例を示す。尚、図１０において、図７〜図９と同様の処理については、同一の符号を付し、その説明を省略又は簡略化する。
【０１３１】
まず、第２無線資源管理部２２８は、ワイヤレスバックホール回線２０での各種設定の必要があるか否かを判定する（Ｓ２１）。
【０１３２】
各種設定が必要である場合、第２無線資源管理部２２８は、上り回線２１用の無線周波数を含む無線資源を割り当てる（Ｓ４１）。この無線資源の割り当てでは、図８に示したＳ２２〜Ｓ２７のように、履歴データベースＴ２１を用いて行われてもよいし、公知の方法により行われてもよい。
【０１３３】
第２無線送信部２２３は、履歴データベースＴ２２を参照し（Ｓ４２）、頻度が最多である等の使用頻度の高い（使用履歴の多い）送信電力を、第２送信アンテナ２２４を用いた通信の送信電力の初期値として設定する（Ｓ４３）。この頻度は、マクロセル基地局２００Ａとの通信で使用された無線周波数において使用された送信電力の頻度である。
【０１３４】
第２無線送信部２２３は、第２送信アンテナ２２４を介して、設定された送信電力の初期値に基づいて、マクロセル基地局２００Ａへ上り回線２１のデータを送信する（Ｓ４４）。
【０１３５】
Ｓ４４では、第２無線送信部２２３は、データ通信前には、上記の送信電力の初期値を第２送信アンテナ２２４へ供給する。また、第２無線送信部２２３は、データ通信中には、データ通信中の送信電力制御により決定された送信電力を第２送信アンテナ２２４へ供給する。
【０１３６】
データ通信中の送信電力制御では、第１無線送信部２０３は、例えば、受信点（ここでは第１受信アンテナ２０５）における受信電力が所定値以上であれば、第２送信アンテナ２２４による送信電力を規定値（例えば１ｄＢ）低減させる。一方、受信点（ここでは第１受信アンテナ２０５）における受信電力が所定値以下であれば、第２送信アンテナ２２４による送信電力を規定値（例えば１ｄＢ）増加させる。受信電力の情報は、例えば、逆回線（ここでは下り回線２２）を介して、受信側（ここではマクロセル基地局２００Ａ）から送信側（ここではスモールセル基地局２００Ｂ）へ通知される。
【０１３７】
Ｓ４４においてデータが通信されると、第２無線送信部２２３は、履歴データベースＴ２２にアクセスし、使用された送信電力の情報に基づいて、マクロセル基地局２００Ａとの通信に使用された無線周波数での送信電力の頻度を更新する（Ｓ４５）。そして、スモールセル基地局２００Ｂは、図１０の処理を終了する。
【０１３８】
このように、スモールセル基地局２００Ｂは、データの通信に使用された過去の無線周波数での送信電力の使用履歴の情報を利用することで、通信品質の劣化かつ通信干渉の可能性が低い送信電力を設定できる。つまり、スモールセル基地局２００Ｂは、送信電力の初期値が過小に設定されることで、送信されたデータがマクロセル基地局２００Ａへ到達せず、データ通信の品質が低下することを抑制できる。また、スモールセル基地局２００Ｂは、送信電力の初期値が過大に設定されることで、マクロセル基地局２００Ａの周辺の基地局２００等で通信干渉が発生することを抑制できる。よって、スモールセル基地局２００Ｂは、ワイヤレスバックホール回線２０を介してマクロセル基地局２００Ａとの通信に使用される送信電力を自律分散的に棲み分けできる。
【０１３９】
［送信電力の制御］
次に、データ通信に係る送信電力の制御について説明する。
【０１４０】
図１１〜図１４に示すように、第１送信アンテナ２０４、第１受信アンテナ２０５、第２送信アンテナ２２４、及び第２受信アンテナ２２５は、ＭＩＭＯ（Ｍｕｌｔｉｐｌｅ−Ｉｎｐｕｔ  ａｎｄ  Ｍｕｌｔｉｐｌｅ−Ｏｕｔｐｕｔ）のアンテナを有する。つまり、第１送信アンテナ２０４、第１受信アンテナ２０５、第２送信アンテナ２２４、及び第２受信アンテナ２２５の各々は、複数のアンテナを有する。複数のアンテナは、物理的に設けられてもよいし、論理的に設けられてもよい。図１１〜図１４では、マクロセル基地局２００Ａ及びスモールセル基地局２００Ｂにおいて、送信用のＭＩＭＯのアンテナ及び受信用のＭＩＭＯのアンテナは、各々８本であることを例示する。
【０１４１】
図１１は、無線通信システム１０による送信電力の第１制御例を説明するための模式図である。図１１では、マクロセル基地局２００Ａの第１送信アンテナ２０４の各アンテナ＃Ａ１１〜＃Ａ１８が、異なるデータを送信することを想定する。この場合、例えばＮ個のスモールセル基地局２００Ｂの第２受信アンテナ２２５の各アンテナ＃Ｂ２１〜＃Ｂ２８が、マクロセル基地局２００Ａからのデータを受信する。各スモールセル基地局２００Ｂが受信する際の受信電力は、例えば略均一である。
【０１４２】
尚、図１１では、１つのワイヤレスバックホール回線２０に１つのスモールセル基地局が接続され、１つの無線周波数が使用される。従って、マクロセル基地局２００Ａと接続されるスモールセル基地局２００Ｂの台数分、ワイヤレスバックホール回線２０が設けられる。
【０１４３】
第１無線送信部２０３は、第１の送信パケットに含まれる第１の送信データ系列（下り回線２２のデータ）に対して、直並列変換（Ｓ／Ｐ：Ｓｅｒｉａｌ−ｔｏ−Ｐａｒａｌｌｅｌ  ｃｏｎｖｅｒｓｉｏｎ）する。第１無線送信部２０３は、直並列変換された送信データ＃Ａ５１〜＃Ａ５８に対して、ベースバンド処理する。
【０１４４】
また、第１無線送信部２０３は、履歴データベースＴ１２を参照し、第１無線資源管理部２０８により割り当てられた無線周波数を基に、送信電力の初期値を設定する。第１無線送信部２０３は、例えば、割り当てられた無線周波数において頻度が所定頻度以上（例えば最多）である送信電力を、送信電力の初期値として設定する。
【０１４５】
尚、第１無線送信部２０３は、スモールセル基地局２００Ｂが採用可能なＲＡＴに基づいて、送信電力の初期値を設定してもよい。
【０１４６】
第１無線送信部２０３は、ＲＡＴが決定されると、ＭＩＭＯ通信に用いられるアンテナ本数や指向性形成の有無を判定する。ここでは、指向性の形成無しと判定されたとする。第１無線送信部２０３は、決定されたＲＡＴに基づいて、各アンテナ＃Ａ１１〜＃Ａ１８への供給電力の比率を決定する（送信電力設定）。ここでは、指向性の形成無しなので、各アンテナ＃Ａ１１〜＃Ａ１８へ供給される電力の値は同一である。
【０１４７】
第１無線送信部２０３は、各アンテナ＃Ａ１１〜＃Ａ１８への各供給電力の合計値が、設定された送信電力の初期値となるように、供給電力を制御する。従って、ここでは、送信電力をＭＩＭＯのアンテナの数（８本）で除算した値が、各アンテナへの供給電力となる。このようにして、初期のデータ通信の送信電力が設定される。
【０１４８】
第１無線送信部２０３は、スモールセル基地局２００Ｂに対して、割り当てられた無線資源を用いて、設定された送信電力で、ＭＩＭＯのアンテナ＃Ａ１１〜＃Ａ１８を介して、送信データ＃Ａ５１〜＃Ａ５８の送信を開始する。
【０１４９】
また、第１無線送信部２０３は、前述したように、データ通信中の送信電力制御により決定された送信電力を、第１送信アンテナ２０４の各アンテナ＃Ａ１１〜＃Ａ１８へ供給する。
【０１５０】
従って、第１送信アンテナ２０４による送信電力は、初期値から調整されることもあるが、送信電力の過去の履歴情報を用いて初期値を設定することで、この送信電力の調整量を小さくできる。
【０１５１】
第２無線受信部２２６は、第２受信アンテナ２２５の各アンテナ＃Ｂ２１〜＃Ｂ２８を介して、マクロセル基地局２００Ａからの信号を受信する。第２無線受信部２２６は、公知の信号分離アルゴリズムに従って、受信信号を分離し、受信データ＃Ｂ６１〜＃Ｂ６８を得る。受信信号は、下り回線２２のデータを含む。
【０１５２】
第２無線受信部２２６は、受信データ＃Ｂ６１〜＃Ｂ６８に対して並直列変換（Ｐ／Ｓ：Ｐａｒａｌｌｅｌ−ｔｏ−Ｓｅｒｉａｌ−  ｃｏｎｖｅｒｓｉｏｎ）する。並直列変換により、再生データが得られる。第２無線受信部２２６により正常にデータが復元された場合、再生データは、第１の送信データ系列に相当する。
【０１５３】
また、第１無線送信部２０３は、例えば、各アンテナ＃Ａ１１〜＃Ａ１８への供給電力を合計（加算）し、合計値の所定時間（例えば３秒間）毎の平均値を、履歴データベースＴ１２に反映する。例えば、第１無線送信部２０３は、履歴データベースＴ１２において、今回のデータ通信に係るＲＡＴ及び無線周波数が一致し、算出された所定時間あたりの平均値が一致する送信電力について、頻度を「１」加算して更新する。従って、同じ送信電力で通信時間が長くなる程、該当する送信電力の頻度に大きな値が加算される。
【０１５４】
送信電力の第１制御例によれば、異なるデータが並行して通信されるので、伝送速度が高くなる。尚、第１制御例では指向性のパターンが形成されないので、送信データは、マクロセル基地局２００Ａの周囲に均等な電力で送信される。従って、マクロセル基地局２００Ａは、ＭＩＭＯを活用して、ワイヤレスバックホール回線２０の伝送速度を高速化できる。
【０１５５】
図１２は、無線通信システム１０による送信電力の第２制御例を説明するための模式図である。図１２では、マクロセル基地局２００Ａの第１送信アンテナ２０４の各アンテナ＃Ａ１１〜＃Ａ１８が、同じデータを送信することを想定する。この場合、Ｎ個のスモールセル基地局２００Ｂの第２受信アンテナ２２５の各アンテナ＃Ｂ２１〜＃２８が、マクロセル基地局２００Ａからのデータを受信する。各スモールセル基地局２００Ｂが受信する際の受信電力は、例えば指向性に応じて各々異なる。
【０１５６】
尚、図１２では、１つのワイヤレスバックホール回線２０にＮ個のスモールセル基地局が接続され、１つの無線周波数が使用される。
【０１５７】
尚、図１２において、図１１に説明した事項と同様の事項については、説明を省略又は簡略化する。
【０１５８】
第１無線送信部２０３は、履歴データベースＴ１２の参照し、スモールセル基地局２００Ｂと通信するためのＲＡＴと、第１無線資源管理部２０８により割り当てられた無線周波数と、に基づいて、送信電力の初期値を設定する。このＲＡＴは、スモールセル基地局２００Ｂ毎に、スモールセル基地局２００Ｂが採用可能なＲＡＴの中から決定される。第１無線送信部２０３は、例えば、スモールセル基地局２００Ｂと通信するためのＲＡＴにおいて、割り当てられた無線周波数において頻度が所定頻度以上（例えば最多）である送信電力を、送信電力の初期値として設定する。
【０１５９】
第１無線送信部２０３は、ＲＡＴが決定されると、ＭＩＭＯ通信に用いられるアンテナ本数や指向性形成の有無を判定する。ここでは、指向性の形成有りと判定されたとする。第１無線送信部２０３は、決定されたＲＡＴに基づいて、各アンテナ＃Ａ１１〜＃Ａ１８への供給電力の比率（送信重み（ウェイト））を決定する（送信重み生成）。決定された供給電力の比率は、ＷＩ，Ｊにより示される。ここで、「Ｉ」は、通信対象のスモールセル基地局２００Ｂの識別子を示し、「Ｊ」は、第１送信アンテナ２０４におけるＭＩＭＯのアンテナの識別子を示す。
【０１６０】
第１無線送信部２０３は、各アンテナ＃Ａ１１〜＃Ａ１８への供給電力の比率に基づいて、各アンテナ＃Ａ１１〜＃Ａ１８への供給電力の合計値が、設定された送信電力の初期値となるように、供給電力を制御する。これにより、初期のデータ通信の送信電力が決定される。
【０１６１】
第１無線送信部２０３は、各スモールセル基地局２００Ｂ（ＳＢＳ＃１〜ＳＢＳ＃Ｎ）宛ての第１の送信データ系列（下り回線２２のデータ）に含まれる送信データを、各アンテナ＃Ａ１１〜＃Ａ１８へ送る。ここでの第１の送信データ系列は、各スモールセル基地局２００Ｂ（ＳＢＳ＃１〜ＳＢＳ＃Ｎ）へ送信されるデータ系列を含む。この際、第１無線送信部２０３は、各送信データに対して、ベースバンド処理し、供給電力の比率ＷＩ，Ｊを乗算して、同一のアンテナ＃Ａ１１〜＃Ａ１８へ送られる各スモールセル基地局２００Ｂ宛ての送信データを加算する。
【０１６２】
第１無線送信部２０３は、各スモールセル基地局２００Ｂに対して、割り当てられた無線資源を用いて、決定された送信電力で、ＭＩＭＯのアンテナ＃Ａ１１〜＃Ａ１８を介して、送信データの送信を開始する。
【０１６３】
また、第１無線送信部２０３は、前述したように、データ通信中の送信電力制御により決定された送信電力を、第１送信アンテナ２０４の各アンテナ＃Ａ１１〜＃Ａ１８へ供給する。
【０１６４】
各スモールセル基地局２００Ｂの第２無線受信部２２６は、第２受信アンテナ２２５の各アンテナ＃Ｂ２１〜＃Ｂ２８を介して、マクロセル基地局２００Ａからの信号を受信する。第２無線受信部２２６は、公知の信号分離アルゴリズムに従って、受信信号を分離し、再生データを得る。第２無線受信部２２６により正常にデータが復元された場合、再生データは、第１の送信データ系列に相当する。
【０１６５】
送信電力の第２制御例によれば、同一のデータが並行して通信されるので、マクロセル基地局２００Ａは、ビームフォーミングにより指向性を形成して送信できる。第１送信アンテナ２０４におけるＭＩＭＯのアンテナの数が多い程、この指向性パターンは鋭くなり、マクロセル基地局２００Ａは、伝送距離を増大して送信できる。従って、マクロセル基地局２００Ａは、ＭＩＭＯを活用して、ワイヤレスバックホール回線２０のＳＮＲ（Ｓｉｇｎａｌ  ｔｏ  Ｎｏｉｓｅ  Ｒａｔｉｏ）を向上できる。
【０１６６】
尚、第１送信アンテナ２０４におけるＭＩＭＯのアンテナの数は、空間多重数に対してかなり大きいことが好ましい。これにより、無線通信システム１０における指向性の分離性能を向上できる。尚、この空間多重数は、マクロセル基地局２００Ａに接続されたスモールセル基地局２００Ｂの数に相当する。
【０１６７】
図１３は、無線通信システム１０による送信電力の第３制御例を説明するための模式図である。図１３では、スモールセル基地局２００Ｂの第２送信アンテナ２２４の各アンテナ＃Ｂ１１〜＃Ｂ１８が、異なるデータを送信することを想定する。この場合、マクロセル基地局２００Ａの第１受信アンテナ２０５の各アンテナ＃Ａ２１〜＃Ａ２８が、スモールセル基地局２００Ｂからのデータを受信する。
【０１６８】
第２無線送信部２２３は、第２の送信パケットに含まれる第２の送信データ系列（上り回線２１のデータ）に対して、直並列変換する。第２無線送信部２２３は、直並列変換された送信データ＃Ｂ５１〜＃Ｂ５８に対して、ベースバンド処理する。
【０１６９】
また、第２無線送信部２２３は、履歴データベースＴ２１の参照し、第２無線資源管理部２２８により割り当てられた無線周波数を基に、送信電力の初期値を設定する。第２無線送信部２２３は、例えば、割り当てられた無線周波数において頻度が所定頻度以上（例えば最多）である送信電力を、送信電力の初期値として設定する。
【０１７０】
尚、第２無線送信部２２３は、マクロセル基地局２００Ａが採用可能なＲＡＴに基づいて、送信電力の初期値を設定してもよい。
【０１７１】
第２無線送信部２２３は、ＲＡＴが決定されると、ＭＩＭＯ通信に用いられるアンテナ本数や指向性形成の有無を判定する。ここでは、指向性の形成無しと判定されたとする。第２無線送信部２２３は、決定されたＲＡＴに基づいて、各アンテナ＃Ｂ１１〜＃Ｂ１８への供給電力の比率を決定する（送信電力設定）。ここでは、指向性の形成無しなので、各アンテナ＃Ｂ１１〜＃Ｂ１８へ供給される電力の値は同一である。
【０１７２】
第２無線送信部２２３は、各アンテナ＃Ｂ１１〜＃Ｂ１８への各供給電力の合計値が、設定された送信電力の初期値となるように、供給電力を制御する。従って、ここでは、送信電力をＭＩＭＯのアンテナの数（８本）で除算した値が、各アンテナへの供給電力となる。このようにして、初期のデータ通信の送信電力が設定される。
【０１７３】
第２無線送信部２２３は、マクロセル基地局２００Ａに対して、割り当てられた無線資源を用いて、決定された送信電力で、ＭＩＭＯのアンテナ＃Ｂ１１〜＃Ｂ１８を介して、送信データ＃Ｂ５１〜＃Ｂ５８の送信を開始する。
【０１７４】
また、第２無線送信部２２３は、前述したように、データ通信中の送信電力制御により決定された送信電力を、第２送信アンテナ２２４の各アンテナ＃Ｂ１１〜＃Ｂ１８へ供給する。
【０１７５】
従って、第２送信アンテナ２２４による送信電力は、初期値から調整されることもあるが、送信電力の過去の履歴情報を用いて初期値を設定することで、この送信電力の調整量を小さくできる。
【０１７６】
第１無線受信部２０６は、第１受信アンテナ２０５の各アンテナ＃Ａ２１〜＃Ａ２８を介して、スモールセル基地局２００Ｂからの信号を受信する。第１無線受信部２０６は、公知の信号分離アルゴリズムに従って、受信信号を分離し、受信データ＃Ａ６１〜＃Ａ６８を得る。受信信号は、上り回線２１のデータを含む。
【０１７７】
第１無線受信部２０６は、受信データ＃Ａ６１〜＃Ａ６８に対して並直列変換する。並直列変換により、再生データが得られる。第１無線受信部２０６により正常にデータが復元された場合、再生データは、第２の送信データ系列に相当する。
【０１７８】
また、第２無線送信部２２３は、例えば、各アンテナ＃Ｂ１１〜＃Ｂ１８への供給電力を合計（加算）し、合計値の所定時間（例えば３秒間）毎の平均値を、履歴データベースＴ２２に反映する。例えば、第２無線送信部２２３は、履歴データベースＴ２２において、今回のデータ通信に係るＲＡＴ及び無線周波数が一致し、算出された所定時間あたりの平均値が一致する送信電力について、頻度を「１」加算して更新する。従って、同じ送信電力で通信時間が長くなる程、該当する送信電力の頻度に大きな値が加算される。
【０１７９】
送信電力の第３制御例によれば、異なるデータが並行して通信されるので、伝送速度が高くなる。尚、第３制御例では指向性のパターンが形成されないので、送信データはスモールセル基地局２００Ｂの周囲に均等な電力で送信される。従って、スモールセル基地局２００Ｂは、ＭＩＭＯを活用して、ワイヤレスバックホール回線２０の伝送速度を高速化できる。
【０１８０】
図１４は、無線通信システム１０による送信電力の第４制御例を説明するための模式図である。図１４では、スモールセル基地局２００Ｂの第２送信アンテナ２２４の各アンテナ＃Ｂ１１〜＃Ｂ１８が、同じデータを送信することを想定する。この場合、マクロセル基地局２００Ａの第１受信アンテナ２０５の各アンテナ＃Ａ２１〜＃Ａ２８が、スモールセル基地局２００Ｂからのデータを受信する。
【０１８１】
尚、図１４において、図１２に説明した事項と同様の事項については、説明を省略又は簡略化する。
【０１８２】
第２無線送信部２２３は、履歴データベースＴ２２を参照し、マクロセル基地局２００Ａと通信するためのＲＡＴと、第２無線資源管理部２２８により割り当てられた無線周波数と、に基づいて、送信電力の初期値を設定する。このＲＡＴは、マクロセル基地局２００Ａが採用可能なＲＡＴの中から決定される。第２無線送信部２２３は、例えば、マクロセル基地局２００Ａと通信するためのＲＡＴにおいて、割り当てられた無線周波数において頻度が所定頻度以上（例えば最多）である送信電力を、送信電力の初期値として設定する。
【０１８３】
第２無線送信部２２３は、ＲＡＴが決定されると、ＭＩＭＯ通信に用いられるアンテナ本数や指向性形成の有無を判定する。ここでは、指向性の形成有りと判定されたとする。また、第２無線送信部２２３は、決定されたＲＡＴに基づいて、各アンテナ＃Ｂ１１〜＃Ｂ１８への供給電力の比率（送信重み）を決定する（送信重み生成）。
【０１８４】
第１無線送信部２０３は、各アンテナ＃Ｂ１１〜＃Ｂ１８への供給電力の比率に基づいて、各アンテナ＃Ｂ１１〜＃Ｂ８への供給電力の合計値が、設定された送信電力の初期値となるように、供給電力を制御する。これにより、初期のデータ通信の送信電力が決定される。
【０１８５】
第２無線送信部２２３は、第２の送信データ系列（上り回線２１のデータ）に含まれる送信データを、各アンテナ＃Ｂ１１〜＃Ｂ１８へ送る。この際、第２無線送信部２２３は、各送信データに対して、ベースバンド処理し、供給電力の比率を乗算する。
【０１８６】
第２無線送信部２２３は、マクロセル基地局２００Ａに対して、割り当てられた無線資源を用いて、決定された送信電力で、ＭＩＭＯのアンテナ＃Ｂ１１〜＃Ｂ１８を介して、送信データの送信を開始する。
【０１８７】
また、第２無線送信部２２３は、前述したように、データ通信中の送信電力制御により決定された送信電力を、第２送信アンテナ２２４の各アンテナ＃Ｂ１１〜＃Ｂ１８へ供給する。
【０１８８】
マクロセル基地局２００Ａの第１無線受信部２０６は、第１受信アンテナ２０５の各アンテナ＃Ａ２１〜＃Ａ２８を介して、スモールセル基地局２００Ｂからの信号を受信する。第１無線受信部２０６は、公知の信号分離アルゴリズムに従って、受信信号を分離し、再生データを得る。第１無線受信部２０６により正常にデータが復元された場合、再生データは、第２の送信データ系列に相当する。
【０１８９】
送信電力の第４制御例によれば、同一のデータが並行して通信されるので、スモールセル基地局２００Ｂは、ビームフォーミングにより指向性を形成して送信できる。第２送信アンテナ２２４におけるＭＩＭＯのアンテナの数が多い程、この指向性パターンは鋭くなり、スモールセル基地局２００Ｂは、伝送距離を増大して送信できる。従って、スモールセル基地局２００Ｂは、ＭＩＭＯを活用して、ワイヤレスバックホール回線２０のＳＮＲを向上できる。
【０１９０】
［効果等］
上記のように、基地局２００は、他の基地局２００との通信に係る無線周波数の使用履歴の情報を保持する履歴データベースＴ１１又はＴ２１を保持する。基地局２００は、ワイヤレスバックホール回線２０の設定が必要な際に、履歴データベースＴ１１又はＴ２１を参照して、無線周波数の割り当ての優先順位を決定し、データ通信に係る無線資源（無線周波数、無線周波数の一部）を割り当てる。
【０１９１】
これにより、バックホール回線が光回線等の有線でなく無線化された場合でも、通信に利用すべき無線資源を動的に決定できる。従って、無線通信システム１０は、基地局２００（例えばスモールセル基地局２００Ｂ）が増設される度に光回線を増設しなくてよく、基地局設置に要するコストを削減でき、基地局設置の迅速性を向上できる。
【０１９２】
また、無線通信システム１０における各ワイヤレスバックホール回線２０に対して、予め無線周波数を割り当てる必要がなく、特定の無線周波数が過大又は過小に使用されることを抑制できる。そのため、基地局２００は、無線資源の利用効率を向上できる。また、予め無線周波数が固定的に割り当てられないことで、使用可能な無線周波数が不足することを低減できる。
【０１９３】
また、基地局２００は、無線周波数を用いた通信環境を判定するための膨大な回線品質情報の検出処理を省略できる。この回線品質情報は、例えば、ＳＩＮＲ（Ｓｉｇｎａｌ  ｔｏ  Ｉｎｔｅｒｆｅｒｅｎｃｅ  Ｎｏｉｓｅ  Ｒａｔｉｏ）を含む。
【０１９４】
過去の通信履歴が多い（例えば通信量が多い）無線周波数は、無線周波数を採用した基地局２００にとって、周辺の基地局との通信干渉が比較的少ない無線周波数であることを表している。従って、このような無線周波数が、ワイヤレスバックホール回線２０を介した他の基地局２００との通信に割り当てられることが好適である。
【０１９５】
また、過去に頻繁に使用された無線周波数では、蓄積されるデータ量が多くなるため、この無線周波数が候補として選択される可能性が高くなる。過去に頻繁に使用されている無線周波数は、将来的にも基地局２００間での通信が成功する可能性が高い。従って、基地局２００は、ワイヤレスバックホール回線２０を介した他の基地局２００との通信での通信精度を向上でき、無線資源の再割当の必要性を低減できる。そのため、基地局２００は、無線資源の割当効率を向上できる。
【０１９６】
また、基地局２００は、ビームフォーミング技術やＭ−ＭＩＭＯ（Ｍａｓｓｉｖｅ  ＭＩＭＯ）技術を用いなくても、過去の通信履歴を考慮することで、同一無線周波数を用いた通信間での干渉の発生を抑制できる。また、基地局２００は、無線通信システム１０における基地局２００の設置数が増大し、ビームフォーミング技術やＭ−ＭＩＭＯ技術では通信干渉が増大する場合でも、過去の通信履歴を考慮することで、通信干渉の増大を低減できる。
【０１９７】
また、基地局２００は、各無線周波数を用いた過去の使用履歴に応じて無線周波数の割当候補を導出することで、他の基地局２００に対してどの無線周波数が割り当てられているかを意識する必要がない。そのため、基地局２００は、他の基地局２００をどの通信事業者が所有しているかを意識する必要がない。従って、基地局２００は、同一の通信事業者の複数の基地局がワイヤレスバックホール回線２０を介して通信する場合でも、異なる通信事業者の複数の基地局がワイヤレスバックホール回線２０を介して通信する場合でも、通信相手の基地局２００に対して、容易かつ高精度に干渉の少ない無線周波数を割り当てできる。
【０１９８】
また、ワイヤレスバックホール回線２０にＴＤＤ（Ｔｉｍｅ  Ｄｉｖｉｓｉｏｎ  Ｄｕｐｌｅｘ）が採用された場合に、複数の基地局２００間の同期や上り回線２１及び下り回線２２での無線資源の割り付けパターンが統一されていないと、通信干渉を生じやすい。ＴＤＤでは、上り回線２１と下り回線２２とにおいて、同一キャリア周波数で時間分割される。特に、固定位置に設置された基地局２００間では、基地局２００と移動端末（例えば端末１００）との通信と比較すると、通信干渉が定常的に生じるので、通信干渉の回避がより困難となる。これに対し、無線通信システム１０によれば、過去の実績に応じて無線周波数を割り当てることで、通信干渉の発生を抑制できる。
【０１９９】
よって、基地局２００は、バックホール回線がヘテロジニアスネットワークかつ無線回線であっても、複数の基地局２００間での通信干渉（セル間干渉）の発生を低減し、データ再送のために無線資源の割当処理が頻発することを抑制できる。
【０２００】
また、基地局２００は、他の基地局２００との通信に係る無線周波数毎の送信電力の使用履歴の情報を保持する履歴データベースＴ１２又はＴ２２を保持する。基地局２００は、ワイヤレスバックホール回線２０の設定が必要な際に、履歴データベースＴ２１又はＴ２２を参照して、データ通信に係る送信電力の暫定値（初期値）を設定する。
【０２０１】
これにより、バックホール回線が光回線等の有線でなく無線化された場合でも、通信に利用すべき送信電力を動的に決定できる。従って、無線通信システム１０は、基地局２００（例えばスモールセル基地局２００Ｂ）が増設されても、隣接する基地局２００間で通信干渉が発生することを抑制できる。
【０２０２】
また、基地局２００は、ワイヤレスバックホール回線２０を介した通信に対して、必要以上に大きな送信電力を割り当てる必要がなく、過大な送信電力が使用され、通信干渉が発生することを抑制できる。また、基地局２００は、ワイヤレスバックホール回線２０を介した通信に対して、通信干渉を過度に考慮して過小な送信電力を割り当て、通信品質が劣化することを抑制できる。
【０２０３】
過去の通信履歴が多い（例えば頻度が高い）送信電力は、周辺の基地局との通信干渉が比較的少なく、かつ、通信成功率が高いことを表している。従って、このような送信電力が、ワイヤレスバックホール回線２０を介した他の基地局２００との通信に割り当てられることが好適である。
【０２０４】
また、過去に頻繁に使用された送信電力は、使用頻度が多くなるため、使用される可能性が高くなる。過去に頻繁に使用されている送信電力は、将来的にも基地局２００間での通信において送信電力の過不足が少なく、通信が成功する可能性が高い。よって、基地局２００は、バックホール回線がヘテロジニアスネットワークかつ無線回線であっても、複数の基地局２００間での通信干渉）の発生を低減し、通信精度を向上できる。
【０２０５】
また、基地局２００は、各送信電力を用いた過去の使用履歴に応じて送信電力を設定することで、他の基地局２００でどの程度の送信電力が設定されているかを意識する必要がない。そのため、基地局２００は、他の基地局２００をどの通信事業者が所有しているかを意識する必要がない。従って、基地局２００は、同一の通信事業者の複数の基地局がワイヤレスバックホール回線２０を介して通信する場合でも、異なる通信事業者の複数の基地局がワイヤレスバックホール回線２０を介して通信する場合でも、通信相手の基地局２００に対して、容易かつ高精度に干渉の少ないデータ通信を実施できる。
【０２０６】
また、無線周波数の割り当ての場合と同様に、ワイヤレスバックホール回線２０にＴＤＤが採用された場合でも、無線通信システム１０は、過去の実績に応じて送信電力を設定することで、通信干渉の発生を抑制できる。
【０２０７】
このように、基地局２００が、どの無線周波数を割り当て、送信電力の大きさをどの程度にすべきかを的確に判定できる。また、基地局２００は、ワイヤレスバックホール回線２０を介してデータを通信するための無線資源の割当効率や利用効率を向上できる。また、基地局２００は、基地局２００の設置数が増大しても、ワイヤレスバックホール回線２０での通信干渉の増大を抑制できる。
【０２０８】
（他の実施形態）
以上のように、本開示における技術の例示として、第１の実施形態を説明した。しかし、本開示における技術は、これに限定されず、変更、置き換え、付加、省略などを行った実施形態にも適用できる。
【０２０９】
第１の実施形態では、基地局２００は、インタフェース（不図示）を介して、履歴に係る通信量の情報や履歴のリセットの情報を取得してもよい。インタフェースは、例えば、例えば、ユーザから使用履歴に係る情報を受け付けるＵＩ（ＵｓｅｒＩｎｔｅｒｆａｃｅ）、又は外部装置で設定された使用履歴に係る情報を受信する通信インタフェース、を含む。この場合、第１無線資源管理部２０８，第２無線資源管理部２２８が、例えば、取得された情報に基づいて、使用履歴に係る特定の無線周波数の通信量を増減し、又は、使用履歴に係る特定の送信電力の頻度を増減してもよい。
【０２１０】
例えば、基地局２００や他の装置が、ワイヤレスバックホール回線２０を介した通信において、どの無線周波数や送信電力とすることが適しているかを、定期的にオフラインでシミュレーション等により算出してもよい。基地局２００は、この算出結果を取得し、履歴データベースＴ１１，Ｔ１２，Ｔ２１，Ｔ２２に反映させてもよい。
【０２１１】
これにより、履歴データベースＴ１１，Ｔ１２，Ｔ２１，Ｔ２２において、最適な無線周波数や送信電力ではなく、準最適な無線周波数や送信電力の使用履歴が多くなった場合でも、より適した無線周波数や送信電力の履歴を多くでき、準最適な状態を脱出できる。つまり、履歴データベースＴ１１，Ｔ１２，Ｔ２１，Ｔ２２に蓄積された使用履歴をリフレッシュできる。これにより、基地局２００は、自動的な使用履歴の蓄積を若干修正し、より適した無線周波数や送信電力が使用されるよう促進できる。そして、基地局２００は、無線資源や送信電力を再配分できる。
【０２１２】
第１の実施形態では、履歴データベースＴ１１，Ｔ１２をスモールセル基地局２００Ｂが保持してもよい。履歴データベースＴ２１，Ｔ２２をマクロセル基地局２００Ａが保持してもよい。この場合、マクロセル基地局２００Ａ及びスモールセル基地局２００Ｂは、制御信号等を用いて、無線周波数又は送信電力の使用履歴の情報を送受してもよい。
【０２１３】
第１の実施形態では、マクロセル基地局２００Ａが下り回線２２の無線周波数の割り当て、スモールセル基地局２００Ｂが上り回線２１の無線周波数を割り当てることを例示した。尚、マクロセル基地局２００Ａ及びスモールセル基地局２００Ｂが協働して、割り当てられる無線周波数を決定してもよい。
【０２１４】
第１の実施形態では、基地局２００は、ＭＩＭＯのアンテナ数が８本であることを想定したが、７本以下でも９本以上でもよい。
【０２１５】
第１の実施形態では、送信電力の第１制御例において、第１無線送信部２０３が、指向性を形成せずに異なるデータを送信することを例示したが、指向性を形成して異なるデータを送信してもよい。この場合、第１無線送信部２０３は、送信電力の第２制御例と同様に、ＭＩＭＯの各アンテナ＃Ａ１１〜＃Ａ１８に対して異なる比率で電力を供給する。
【０２１６】
第１の実施形態では、送信電力の第３制御例において、第２無線送信部２２３が、指向性を形成せずに異なるデータを送信することを例示したが、指向性を形成して異なるデータを送信してもよい。この場合、第２無線送信部２２３は、送信電力の第４制御例と同様に、ＭＩＭＯの各アンテナ＃Ｂ１１〜＃Ｂ１８に対して異なる比率で電力を供給する。
【０２１７】
第１の実施形態では、履歴データベースＴ１１，Ｔ２１が、過去の一定期間における他の基地局との無線周波数の使用履歴の情報を保持することを記載したが、期間に関係なく、無線周波数の使用履歴の情報を蓄積してもよい。また、履歴データベースＴ１２，Ｔ２２が、過去の一定期間における他の基地局との送信電力の使用履歴の情報を保持することを記載したが、期間に関係なく、送信電力の使用履歴の情報を蓄積してもよい。
【０２１８】
第１の実施形態では、無線周波数の使用履歴の情報として、無線周波数毎の通信量の蓄積値を用いることを例示したが、他の使用履歴の情報を用いてもよい。他の使用履歴の情報は、例えば、無線周波数を用いた基地局２００間の通信に係る延べ通信時間（延べ接続時間）、通信回数（接続回数）、を含む。例えば、上記延べ通信時間が長い程、上記通信回数が多い程、その無線周波数が選択される優先順位が高くなる。
【０２１９】
第１の実施形態では、送信電力の使用履歴の情報として、各送信電力の頻度の蓄積値を用いることを例示したが、他の使用履歴の情報を用いてもよい。他の使用履歴の情報は、例えば、設定された送信電力を使用した基地局２００間の通信に係る延べ通信時間（延べ接続時間）、通信回数（接続回数）、を含む。例えば、上記延べ通信時間が長い程、上記通信回数が多い程、その送信電力が初期値として選択される優先順位が高くなる。
【０２２０】
第１の実施形態では、履歴データベースＴ１１，Ｔ２１は、様々な観点から区別して設けられてもよい。例えば、無線資源を割り当てる時間帯毎に、履歴データベースＴ１１，Ｔ２１が区別して設けられてもよい。また、その他の公知の方法により、履歴データベースＴ１１，Ｔ２１が区別して設けられてもよい。これにより、基地局２００は、各種傾向を考慮した無線周波数の使用履歴に応じて、無線周波数の割当候補を決定できる。
【０２２１】
第１の実施形態では、履歴データベースＴ１２，Ｔ２２は、様々な観点から区別して設けられてもよい。例えば、送信電力を設定する時間帯毎に、履歴データベースＴ２１，Ｔ２２が区別して設けられてもよい。また、その他の公知の方法により、履歴データベースＴ２１，Ｔ２２が区別して設けられてもよい。これにより、基地局２００は、各種傾向を考慮した送信電力の使用履歴に応じて、送信電力の初期値を決定できる。
【０２２２】
第１の実施形態では、基地局２００が、無線資源として、無線周波数毎の通信量の使用履歴を管理することより、他の基地局２００とのワイヤレスバックホール回線２０を介した通信に使用する無線周波数の候補を判定することを例示した。尚、基地局２００は、無線周波数ではなく、ある無線周波数上のタイムスロット（時間軸上の区切り）毎の通信量の使用履歴を管理することより、他の基地局２００との通信に使用する無線資源である、タイムスロットの候補を判定するようにしてもよい。また、基地局２００は、無線周波数とその無線周波数上のタイムスロット（時間軸上の区切り）の組み合わせ毎の通信量の使用履歴を管理することより、他の基地局２００との通信に使用する無線資源である、無線周波数とタイムスロットの組み合わせ候補を判定してもよい。
【０２２３】
例えば、無線周波数が１個（ｆ１）存在し、この無線周波数が１６個のタイムスロット（ＴＳ）に分割されている場合、基地局２００は、ｆ１−ＴＳ１、ｆ１−ＴＳ２、・・・、ｆ１−ＴＳ１６の１６個の無線資源毎に過去の通信量の使用履歴を管理更新してもよい。これにより、基地局２００は、隣接基地局間で無線資源（ここではタイムスロット）を棲み分けできる。
【０２２４】
また、例えば、無線周波数が２個（ｆ１，ｆ２）存在し、各無線周波数が１０個のタイムスロットに分割されている場合、基地局２００は、ｆ１−ＴＳ１、ｆ１−ＴＳ２、・・・、ｆ１−ＴＳ１０、ｆ２−ＴＳ１、ｆ２−ＴＳ２、・・・、ｆ２−ＴＳ１０の２０個の無線資源毎に過去の通信量の使用履歴を管理更新してもよい。これにより、基地局２００は、隣接基地局間で無線資源（ここでは無線周波数とタイムスロットの組み合わせ）を棲み分けできる。
【０２２５】
第１の実施形態では、ワイヤレスバックホール回線２０を介して接続されたマクロセル基地局２００Ａ及びスモールセル基地局２００Ｂを例示した。尚、第１の実施形態は、ヘテロジニアスネットワークにおけるワイヤレスバックホール回線２０を介して通信する通信装置全般に適用できる。例えば、監視カメラと監視センタとの間での回線をワイヤレス化し、どの無線資源を使用するか、送信電力の初期値をどうするかを決定する場合においても、本開示を適用できる。
【０２２６】
第１の実施形態では、プロセッサ２５０（２５０Ａ，２５０Ｂ）は、物理的にどのように構成されてもよい。ただし、プログラム可能なプロセッサを用いれば、プログラムの変更により処理内容を変更できるので、プロセッサ２５０の設計の自由度を高めることができる。また、プロセッサ２５０は、１つの半導体チップで構成してもよいし、物理的に複数の半導体チップで構成してもよい。複数の半導体チップで構成する場合、第１の実施形態の各制御をそれぞれ別の半導体チップで実現してもよい。この場合、それらの複数の半導体チップで１つのプロセッサ２５０を構成すると考えることができる。また、プロセッサ２５０は、半導体チップと別の機能を有する部材（コンデンサ等）で構成してもよい。また、プロセッサ２５０が有する機能とそれ以外の機能とを実現するように、１つの半導体チップを構成してもよい。
【０２２７】
第１の実施形態では、図２、図１１〜図１４において基地局２００の構成を示したが、各構成は、ハードウェアにより実現されてもよいし、ソフトウェアにより実現されてもよい。
【０２２８】
（本開示の実施形態の概要）
以上のように、上記実施形態の基地局２００は、複数の無線通信方式が混在して利用されるワイヤレスバックホール回線２０を介して、他の基地局２００との間で通信する。基地局２００は、プロセッサ２５０及びアンテナを備える。プロセッサ２５０は、他の基地局２００とのデータ通信に係る無線周波数の使用履歴の情報に基づいて、他の基地局２００とのデータ通信に係る無線周波数を割り当てる。アンテナは、割り当てられた無線周波数を用いて、他の基地局２００との間でデータ通信する。
【０２２９】
基地局２００は、無線通信装置の一例である。アンテナは、例えば、第１送信アンテナ２０４、第２送信アンテナ２２４、第１受信アンテナ２０５、又は第２受信アンテナ２２５である。
【０２３０】
これにより、基地局２００は、周辺の基地局２００との間での通信干渉の発生を低減できる。例えば、基地局２００は、基地局２００（例えばスモールセル基地局２００Ｂ）が多数増設されても、通信干渉を抑制できる。また、バックホール回線を無線化することで、基地局２００を増設する際のコストも低減でき、経済性を向上でき、基地局設置の迅速性も向上できる。また、基地局２００は、無線資源割り当て動作の繰り返し回数を低減できるので、基地局２００の無線資源割り当てに要する時間を短縮化できる。つまり、基地局２００は、無線資源の割当効率を向上できる。また、基地局２００は、予め複数の基地局２００間で周波数を分割することなく、無線資源の利用効率を向上できる。
【０２３１】
尚、基地局２００は、同一の通信事業者の基地局のみで構成される場合と、同じ無線資源を異なる複数の通信事業者の基地局が共有して構成される場合と、があり得る。どちらの構成でも、複数の基地局２００が相互に情報共有することなく、基地局２００は、ワイヤレスバックホール回線２０を介した通信のための無線資源を割り当てできる。
【０２３２】
また、基地局２００は、他の基地局２００とのデータ通信に係る無線周波数の使用履歴の情報を蓄積するメモリ２６０を備えてもよい。プロセッサ２５０は、アンテナによるデータ通信に使用された無線周波数と、この無線周波数の使用履歴と、に基づいて、メモリ２６０に蓄積された使用履歴の情報を更新してもよい。
【０２３３】
これにより、基地局２００がワイヤレスバックホール回線２０を介してデータ通信する度に、最新の無線資源の使用履歴を反映できる。これにより、基地局２００は、無線資源の割当効率や利用効率を向上できる。
【０２３４】
また、プロセッサ２５０は、使用履歴が多い無線周波数を優先して、他の基地局２００とのデータ通信に係る無線周波数を割り当ててもよい。
【０２３５】
これにより、基地局２００は、データ通信に成功する可能性の高い無線資源を割当可能であるので、データの通信精度を向上できる。
【０２３６】
尚、無線周波数の使用履歴の情報は、無線周波数を用いたデータ通信量、無線周波数を用いたデータ通信時間、又は無線周波数を用いたデータ通信回数を含んでもよい。
【０２３７】
また、プロセッサ２５０は、他の基地局２００とのデータ通信に係る無線周波数の使用履歴に基づいて、他の基地局２００との間のデータ通信に係る無線周波数の割当候補を導出してもよい。プロセッサ２５０は、割当候補の無線周波数を割当不可能な場合、他の無線周波数を割り当ててもよい。アンテナは、他の無線周波数を用いて、他の基地局２００との間でデータ通信してもよい。
【０２３８】
これにより、基地局２００は、割当候補の無線周波数に空きがない場合でも、他の無線周波数を再指定でき、基地局２００とのデータ通信が成功する確率を向上できる。
【０２３９】
また、基地局２００は、無線周波数の使用履歴を変更するための変更情報を取得するインタフェースを備えてもよい。プロセッサ２５０は、変更情報に基づいて、無線周波数の使用履歴を変更してもよい。
【０２４０】
これにより、無線周波数の使用履歴（使用実績）が多いが、その無線周波数が全体最適ではない場合（準最適な場合）でも、基地局２００は、使用履歴を意図的にリフレッシュし、準最適な状態への収束を脱することができる。
【０２４１】
また、上記実施形態の周波数割当方法は、複数の無線通信方式が混在して利用されるワイヤレスバックホール回線２０を介して、他の基地局２００との間で通信する基地局２００における周波数割当方法である。この周波数割当方法は、他の基地局２００とのデータ通信に係る無線周波数の使用履歴の情報に基づいて、他の基地局２００とのデータ通信に係る無線周波数を割り当て、割り当てられた無線周波数を用いて、他の基地局２００との間でデータ通信する。
【０２４２】
これにより、基地局２００は、周辺の基地局２００との間での通信干渉の発生を低減できる。例えば、基地局２００は、基地局２００（例えばスモールセル基地局２００Ｂ）が多数増設されても、通信干渉を抑制できる。また、バックホール回線を無線化することで、基地局２００を増設する際のコストも低減でき、経済性を向上でき、基地局設置の迅速性も向上できる。また、基地局２００は、無線資源割り当て動作の繰り返し回数を低減できるので、基地局２００の無線資源割り当てに要する時間を短縮化できる。つまり、基地局２００は、無線資源の割当効率を向上できる。また、基地局２００は、予め複数の基地局２００間で周波数を分割することなく、無線資源の利用効率を向上できる。
【０２４３】
また、上記実施形態の基地局２００は、他の基地局２００とのデータ通信に係る送信電力の使用履歴の情報に基づいて、他の基地局２００とのデータ通信に係る送信電力の初期値を設定するプロセッサ２５０と、設定された送信電力の初期値に基づいて、他の基地局２００との間でデータ通信するアンテナと、を備える。
【０２４４】
これにより、基地局２００は、周辺の基地局２００との間での通信干渉の発生を低減できる。例えば、基地局２００は、基地局２００（例えばスモールセル基地局２００Ｂ）が多数増設されても、通信干渉を抑制できる。また、バックホール回線を無線化することで、基地局２００を増設する際のコストも低減でき、経済性を向上でき、基地局設置の迅速性も向上できる。また、基地局２００は、自局による過去の通信成功例を参照することで、自局にとって過大な送信電力を初期値として割り当てる確率が低減し、通信干渉が発生することを抑制できる。また、基地局２００は、自局による過去の通信成功例を参照することで、過小な送信電力を初期値として割り当てる確率が低減し、通信品質が劣化することを抑制できる。
【０２４５】
また、基地局２００は、他の基地局２００とのデータ通信に係る送信電力の使用履歴の情報を蓄積するメモリ２６０を備えてもよい。プロセッサ２５０は、アンテナによるデータ通信に使用された送信電力に基づいて、メモリ２６０に蓄積された送信電力の使用履歴の情報を更新してもよい。
【０２４６】
これにより、基地局２００がワイヤレスバックホール回線２０を介してデータ通信する度に、最新の送信電力の使用履歴を反映できる。これにより、基地局２００は、基地局の設置数が増大しても、通信干渉の増大を抑制できる。
【０２４７】
また、プロセッサ２５０は、使用履歴が多い送信電力を優先して、他の基地局２００とのデータ通信に係る送信電力を設定してもよい。
【０２４８】
これにより、基地局２００は、データ通信に成功する可能性の高い送信電力を設定可能であるので、データの通信精度を向上できる。
【０２４９】
また、アンテナは、複数のアンテナを含んでもよい。プロセッサ２５０は、複数のアンテナに対して、他の基地局２００が採用する無線通信方式と、設定された送信電力の初期値と、に基づいて、複数のアンテナの各々への供給電力を制御してもよい。複数のアンテナは、例えば、ＭＩＭＯのアンテナ＃Ａ１１〜＃Ａ１８，＃Ｂ１１〜＃Ｂ１８である。
【０２５０】
これにより、基地局２００は、無線通信方式により定められたデータ通信に係る指向性を形成できる。基地局２００は、指向性を形成する場合でも、送信電力を適切に維持でき、ワイヤレスバックホール回線２０を介した通信干渉を抑制できる。
【０２５１】
また、送信電力の使用履歴の情報は、データ通信に割り当てられた無線周波数での送信電力の情報と、この送信電力を用いたデータ通信の頻度の情報と、を含んでもよい。
【０２５２】
また、送信電力の情報は、データ通信に使用された送信電力の所定時間あたりの平均電力の情報を含んでもよい。
【０２５３】
これにより、データ送信時に短時間に発生したノイズ等の影響を受けにくくなり、送信電力の初期値の設定精度を向上できる。
【０２５４】
また、基地局２００は、送信電力の使用履歴を変更するための変更情報を取得するインタフェースを備えてもよい。プロセッサ２５０は、変更情報に基づいて、送信電力の使用履歴を変更してもよい。
【０２５５】
これにより、送信電力の使用履歴（実績）が多いが、その送信電力が全体最適ではない場合（準最適な場合）でも、基地局２００は、使用履歴を意図的にリフレッシュし、準最適な状態への収束を脱することができる。
【０２５６】
また、上記実施形態の送信電力設定方法は、複数の無線通信方式が混在して利用されるワイヤレスバックホール回線２０を介して、他の基地局２００との間で通信する基地局２００における送信電力設定方法である。この方法では、他の基地局２００とのデータ通信に係る送信電力の使用履歴の情報に基づいて、他の基地局２００とのデータ通信に係る送信電力の初期値を設定し、設定された送信電力の初期値に基づいて、他の基地局２００との間でデータ通信する。
【０２５７】
これにより、基地局２００は、周辺の基地局２００との間での通信干渉の発生を低減できる。例えば、基地局２００は、基地局２００（例えばスモールセル基地局２００Ｂ）が多数増設されても、通信干渉を抑制できる。また、バックホール回線を無線化することで、基地局２００を増設する際のコストも低減でき、経済性を向上でき、基地局設置の迅速性も向上できる。また、基地局２００は、自局による過去の通信成功例を参照することで、自局にとって過大な送信電力を初期値として割り当てる確率が低減し、通信干渉が発生することを抑制できる。また、基地局２００は、自局による過去の通信成功例を参照することで、過小な送信電力を初期値として割り当てる確率が低減し、通信品質が劣化することを抑制できる。
【産業上の利用可能性】
【０２５８】
本開示は、無線通信装置の設置数が増大しても、バックホール回線を介した無線通信での通信干渉の増加を抑制できる無線通信装置及び送信電力設定方法等に有用である。
【符号の説明】
【０２５９】
１０  無線通信システム
２１  上り回線
２２  下り回線
１００  端末
２００  基地局
２００Ａ  マクロセル基地局
２００Ｂ  スモールセル基地局
２０１  第１インタフェース
２０２  第１パケット生成部
２０３  第１無線送信部
２０４  第１送信アンテナ
２０５  第１受信アンテナ
２０６  第１無線受信部
２０７  第１パケット復号部
２０８  第１無線資源管理部
２２１  第２インタフェース
２２２  第２パケット生成部
２２３  第２無線送信部
２２４  第２送信アンテナ
２２５  第２受信アンテナ
２２６  第２無線受信部
２２７  第２パケット復号部
２２８  第２無線資源管理部
２５０，２５０Ａ，２５０Ｂ  プロセッサ
２６０，２６０Ａ，２６０Ｂ  メモリ
３００  上位装置
Ｔ１１，Ｔ１２，Ｔ２１，Ｔ２２  履歴データベース
【図１】
0006678309.tif 000002
【図２】
0006678309.tif 000003
【図３】
0006678309.tif 000004
【図４】
0006678309.tif 000005
【図５】
0006678309.tif 000006
【図６】
0006678309.tif 000007
【図７】
0006678309.tif 000008
【図８】
0006678309.tif 000009
【図９】
0006678309.tif 000010
【図１０】
0006678309.tif 000011
【図１１】
0006678309.tif 000012
【図１２】
0006678309.tif 000013
【図１３】
0006678309.tif 000014
【図１４】
0006678309.tif 000015